(57)【要約】【課題】参加が制限されたセッションへ参加する操作を簡略化する。【解決手段】識別情報に対応する通信の宛先を示す宛先識別情報の一覧である宛先リストが記憶された記憶部と、通信の要求先となる他の情報処理端末を示す要求先識別情報と、他の情報処理端末との通信の参加資格を示す参加認証情報と、の入力を受け付ける入力部と、要求先識別情報と、参加認証情報と、情報処理端末との通信の実行要求と、を含む通信の開始要求情報を生成し、伝送管理装置に送信する送受信部と、を有し、送受信部は、要求先識別情報が前記宛先識別情報である場合、送信先を伝送管理装置とした第一の開始要求情報を伝送管理装置へ送信し、要求先識別情報が宛先識別情報でない場合、送信先を要求先識別情報が示す他の情報処理端末とした第二の開始要求情報を伝送管理装置へ送信する。【選択図】図１４
2018152836.tif 000002
【特許請求の範囲】
【請求項１】
他の情報処理端末と、伝送管理装置によって管理される識別情報を用いた通信を行う情報処理端末であって、
前記識別情報に対応する通信の宛先を示す宛先識別情報の一覧である宛先リストが記憶された記憶部と、
前記通信の要求先となる他の情報処理端末を示す要求先識別情報と、他の情報処理端末との通信の参加資格を示す参加認証情報と、の入力を受け付ける入力部と、
前記要求先識別情報と、前記参加認証情報と、前記情報処理端末との通信の実行要求と、を含む通信の開始要求情報を生成し、前記伝送管理装置に送信する送受信部と、を有し、
前記送受信部は、
前記要求先識別情報が前記宛先識別情報である場合、送信先を前記伝送管理装置とした第一の開始要求情報を前記伝送管理装置へ送信し、
前記要求先識別情報が前記宛先識別情報でない場合、送信先を前記要求先識別情報が示す他の情報処理端末とした第二の開始要求情報を前記伝送管理装置へ送信する、情報処理端末。
【請求項２】
前記他の情報処理端末から受信した、通信に参加する準備が完了したことを示す通信準備完了情報に基づき、前記参加認証情報が要求されるか否かを判定する種別判定部と、
前記開始要求情報を生成する要求生成部と、を有し、
前記要求生成部は、
前記参加認証情報が要求される場合に、前記参加認証情報を含む通信参加要求情報を生成し、
前記送受信部は、
前記通信参加要求情報を前記伝送管理装置へ送信する、請求項１記載の情報処理端末。
【請求項３】
前記要求生成部は、
前記要求先識別情報が、前記伝送管理装置の有する端末管理テーブルに存在し、且つ前記宛先リストに存在しない場合に、前記第二の開始要求情報を生成する、請求項２記載の情報処理端末。
【請求項４】
前記要求生成部は、
前記要求先識別情報が、前記宛先リストに存在し、且つ前記情報処理端末が通信可能な状態である場合に、前記第一の開始要求情報を生成する、請求項２又は３に記載の情報処理端末。
【請求項５】
前記入力部が、前記伝送管理装置から受信した前記開始要求情報に対する応答の操作を受け付けたときに、前記情報処理端末が通信可能な状態であった場合に、
前記要求生成部は、
前記参加認証情報を含む開始要求情報を生成する、請求項２乃至４の何れか一項に記載の情報処理端末。
【請求項６】
前記情報処理端末が、参加認証情報が要求される通信に参加中であった場合、
前記要求生成部は、
前記参加認証情報を含む通信準備完了情報を生成する、請求項５記載の情報処理端末。
【請求項７】
前記情報処理端末が、参加認証情報が不要な通信に参加中であった場合、
前記要求生成部は、
前記参加認証情報を含まない通信準備完了情報を生成する、請求項５又は６記載の情報処理端末。
【請求項８】
前記宛先リストを作成する作成部を有し、
前記作成部は、
前記送受信部により、前記伝送管理装置から受信した、前記伝送管理装置で宛先として管理されている宛先リスト情報と、前記宛先リストに存在する他の情報処理端末の状態を示す状態情報と、に基づき、前記宛先リストを作成する、請求項２乃至７の何れか一項に記載の情報処理端末。
【請求項９】
前記参加認証情報を保持する参加認証情報保持部を有し、
前記要求生成部は、
前記参加認証情報保持部により保持された参加認証情報を用いて前記通信の開始要求情報を生成する、請求項２乃至８の何れか一項に記載の情報処理端末。
【請求項１０】
他の情報処理端末と、伝送管理装置と、前記伝送管理装置によって管理される識別情報を用いた通信を行う情報処理端末と、を含む通信システムであって、
前記情報処理端末は、
前記識別情報に対応する通信の宛先を示す宛先識別情報の一覧である宛先リストが記憶された記憶部と、
前記通信の要求先となる他の情報処理端末を示す要求先識別情報と、他の情報処理端末との通信の参加資格を示す参加認証情報と、の入力を受け付ける入力部と、
前記要求先識別情報と、前記参加認証情報と、前記情報処理端末との通信の実行要求と、を含む通信の開始要求情報を生成し、前記伝送管理装置に送信する送受信部と、を有し、
前記送受信部は、
前記要求先識別情報が前記宛先識別情報である場合、送信先を前記伝送管理装置とした第一の開始要求情報を前記伝送管理装置へ送信し、
前記要求先識別情報が前記宛先識別情報でない場合、送信先を前記要求先識別情報が示す他の情報処理端末とした第二の開始要求情報を前記伝送管理装置へ送信する、通信システム。
【請求項１１】
前記伝送管理装置は、
受信した開始要求情報の送信先に基づき、前記開始要求情報が前記第一の開始要求情報であるか、又は前記第二の開始要求情報であるかを判定する送信先判定部を有する、請求項１０記載の通信システム。
【請求項１２】
他の情報処理端末と、伝送管理装置によって管理される識別情報を用いた通信を行う情報処理端末に、
前記識別情報に対応する通信の宛先を示す宛先識別情報の一覧である宛先リストを記憶部に記憶させる処理と、
前記通信の要求先となる他の情報処理端末を示す要求先識別情報と、他の情報処理端末との通信の参加資格を示す参加認証情報と、の入力を受け付ける入力処理と、
前記要求先識別情報と、前記参加認証情報と、前記情報処理端末との通信の実行要求と、を含む通信の開始要求情報を生成し、前記伝送管理装置に送信する送信処理と、を実行させ、
前記送信処理は、
前記要求先識別情報が前記宛先識別情報である場合、送信先を前記伝送管理装置とした第一の開始要求情報を前記伝送管理装置へ送信し、
前記要求先識別情報が前記宛先識別情報でない場合、送信先を前記要求先識別情報が示す他の情報処理端末とした第二の開始要求情報を前記伝送管理装置へ送信する、処理を前記情報処理端末に実行させる情報処理プログラム。
【請求項１３】
他の情報処理端末と、伝送管理装置と、前記伝送管理装置によって管理される識別情報を用いた通信を行う情報処理端末と、を含む通信システムによる通信方法であって、
前記情報処理端末が、
前記識別情報に対応する通信の宛先を示す宛先識別情報の一覧である宛先リストを記憶部に記憶する手順と、
前記通信の要求先となる他の情報処理端末を示す要求先識別情報と、他の情報処理端末との通信の参加資格を示す参加認証情報と、の入力を受け付ける入力手順と、
前記要求先識別情報と、前記参加認証情報と、前記情報処理端末との通信の実行要求と、を含む通信の開始要求情報を生成し、前記伝送管理装置に送信する送信手順と、を実行し、
前記送信手順は、
前記要求先識別情報が前記宛先識別情報である場合、送信先を前記伝送管理装置とした第一の開始要求情報を前記伝送管理装置へ送信し、
前記要求先識別情報が前記宛先識別情報でない場合、送信先を前記要求先識別情報が示す他の情報処理端末とした第二の開始要求情報を前記伝送管理装置へ送信する、通信方法。
【発明の詳細な説明】
【技術分野】
【０００１】
本発明は、情報処理端末、通信システム、情報処理プログラム及び通信方法に関する。
【背景技術】
【０００２】
近年では、インターネット等の通信ネットワークを介して会議を行う会議システムが普及している。このような会議システムでは、発信側の端末に、発信先（宛先）の端末情報を示す宛先リストを予め登録し、宛先リストから選択された宛先が示す端末と通信を開始する手法が知られている。
【発明の概要】
【発明が解決しようとする課題】
【０００３】
従来の会議システムでは、ある端末の利用者が、参加者を制限した会議に参加する場合、まず、他の参加者の端末への接続を試み、他の参加者の端末の状態を確認した上で、参加資格を示す情報を送信する必要があり、その操作が煩雑であった。
【０００４】
開示の技術は、参加が制限されたセッションへの参加する操作を簡略化することを目的としている。
【課題を解決するための手段】
【０００５】
開示の技術は、他の情報処理端末と、伝送管理装置によって管理される識別情報を用いた通信を行う情報処理端末であって、前記識別情報に対応した通信の宛先を示す宛先識別情報の一覧である宛先リストが記憶された記憶部と、前記通信の要求先となる他の情報処理端末を示す要求先識別情報と、他の情報処理端末との通信の参加資格を示す参加認証情報と、の入力を受け付ける入力部と、前記要求先識別情報と、前記参加認証情報と、前記情報処理端末との通信の実行要求と、を含む通信の開始要求情報を生成し、前記伝送管理装置に送信する送受信部と、を有し、前記送受信部は、前記要求先識別情報が前記宛先識別情報である場合、送信先を前記伝送管理装置とした第一の開始要求情報を前記伝送管理装置へ送信し、前記要求先識別情報が前記宛先識別情報でない場合、送信先を前記要求先識別情報が示す他の情報処理端末とした第二の開始要求情報を前記伝送管理装置へ送信する。
【発明の効果】
【０００６】
参加が制限されたセッションへ参加する操作を簡略化できる。
【図面の簡単な説明】
【０００７】
【図１】一実施形態に係る伝送システムの概略図である。
【図２】伝送システムにおける画像データ、音データ及び各種管理情報の送受信の状態を示した概念図である。
【図３】一実施形態に係る端末の一例の外観図である。
【図４】一実施形態に係る端末のハードウェア構成の例を示す図である。
【図５】一実施形態に係る管理装置のハードウェア構成図である。
【図６】一実施形態に係る端末、及び管理装置の機能構成図である。
【図７】一実施形態に係る管理装置が管理する情報の例を示す第一の図である。
【図８】一実施形態に係る管理装置が管理する情報の例を示す第二の図である。
【図９】一実施形態に係る準備段階の処理の例を示すシーケンス図である。
【図１０】宛先リストが表示された画面の例を示す図である。
【図１１】第一の実施形態の要求元端末の動作を説明するフローチャートである。
【図１２】開始要求情報について説明する図である。
【図１３】第一の実施形態の伝送システムの動作を示す第一のシーケンス図である。
【図１４】第一の実施形態の伝送システムの動作を示す第二のシーケンス図である。
【図１５】第一の実施形態の管理装置の動作を説明するフローチャートである。
【図１６】第一の実施形態の要求先端末の動作を示すフローチャートである。
【図１７】識別情報の入力画面の一例を示す図である。
【図１８】参加認証情報の入力画面の一例を示す図である。
【図１９】管理装置への発信を通知する画面の一例を示す図である。
【図２０】エラーメッセージが表示された画面の一例を示す第一の図である。
【図２１】エラーメッセージが表示された画面の一例を示す第二の図である。
【図２２】エラーメッセージが表示された画面の一例を示す第三の図である。
【図２３】要求先端末への接続を通知する画面の一例を示す図である。
【図２４】要求元端末からの着信を通知する画面の一例を示す図である。
【図２５】第二の実施形態の伝送システムの動作を示すシーケンス図である。
【図２６】第二の実施形態の要求元端末の動作を説明するフローチャートである。
【図２７】第三の実施形態の端末の機能構成を説明する図である。
【図２８】第三の実施形態の伝送システムの動作を示す第一のシーケンス図である。
【図２９】第三の実施形態の伝送システムの動作を示す第二のシーケンス図である。
【図３０】第三の実施形態の伝送システムの動作を示す第三のシーケンス図である。
【発明を実施するための形態】
【０００８】
（第一の実施形態）
以下に図面を参照して第一の実施形態について説明する。
【０００９】
図１は、一実施形態に係る伝送システムの概略図である。図２は、伝送システムにおける画像データ、音データ及び各種管理情報の送受信の状態を示した概念図である。
【００１０】
伝送システムには、伝送管理装置を介して一方の情報処理端末から他方の情報処理端末に一方向でコンテンツデータを伝送するデータ提供システムが含まれる。また、伝送システムには、伝送管理装置を介して複数の情報処理端末間で情報を相互に伝達するコミュニケーションシステム等が含まれる。
【００１１】
このコミュニケーションシステムは、コミュニケーション管理装置（「伝送管理装置」に相当）を介して複数のコミュニケーション端末（「情報処理端末」に相当）間で情報を相互に伝達するためのシステムである。コミュニケーションシステムの例としては、例えば、テレビ会議システム、テレビ電話システム、音声会議システム、音声電話システム、ＰＣ(Personal Computer)画面共有システム等の遠隔会議が挙げられる。
【００１２】
本実施形態では、コミュニケーションシステムの一例としてのテレビ会議システム、コミュニケーション管理装置の一例としてのテレビ会議管理装置、及びコミュニケーション端末の一例としてのテレビ会議端末を想定する。なお、テレビ会議は、遠隔会議の一例である。
【００１３】
以下では、伝送システム１をテレビ会議システム、伝送管理装置５０をテレビ会議管理装置、及び情報処理端末１０をテレビ会議端末として説明する。即ち、本実施形態に係る通信システムは、テレビ会議システムに適用されるだけでなく、コミュニケーションシステムや伝送システムなどにも適用される。
【００１４】
図１に示す伝送システム１は、複数の情報処理端末（１０ａａ、１０ａｂ、・・・）、各情報処理端末（１０ａａ、１０ａｂ、・・・）用のディスプレイ（１２０ａａ、１２０ａｂ、・・・）、中継装置３０、伝送管理装置５０、及びプログラム提供装置９０を含む。複数の情報処理端末（１０ａａ、１０ａｂ、・・・）は、情報処理端末間で映像データを送受信（通信）する。映像データには、例えば、動画データ又は静止画データ、音データ等が含まれる。
【００１５】
なお、以下の説明の中で、「情報処理端末」を単に「端末」として表し、「伝送管理装置」を単に「管理装置」として表す。また、複数の端末（１０ａａ、１０ａｂ、・・・）のうち任意の端末を「端末１０」と表す。さらに、複数のディスプレイ（１２０ａａ、１２０ａｂ、・・・）のうち任意のディスプレイを「ディスプレイ１２０」と表す。さらにまた、通信の開始を要求する要求元となる端末を「要求元端末」と表し、要求先となる端末は「要求先端末」と表す。さらに、以下の説明では、要求先端末のうち、後述する宛先リストに含まれる要求先端末を「宛先端末」と呼ぶ。つまり、宛先端末は、要求先端末に含まれる。
【００１６】
図２に示されているように、伝送システム１において、要求元端末と要求先端末との間では、管理装置５０を介して、各種の管理情報を送受信するための管理情報用セッションｓｅｉが確立される。また、要求元端末と要求先端末との間では、中継装置３０を介して、高解像度の画像データ、中解像度の画像データ、低解像度の画像データ、音データ等を送受信するための通信セッションが確立される。ここでは、通信セッションを、画像・音データ用のセッションｓｅｄとして示している。なお、図２に示す画像・音データ用のセッションｓｅｄの数は一例であり、画像・音データ用のセッションｓｅｄの数は、４つのセッション数より少ない又は多いセッション数であっても良い。
【００１７】
図１に戻り、伝送システム１のシステム構成の説明を続ける。
【００１８】
端末１０は、他の装置（端末）との間で、各種情報を送受信する。端末１０は、例えば、他の端末１０との間で通信セッションを確立し、確立した通信セッションにおいて、音データ、画像データ等を含むコンテンツデータの送受信による通信を行う。これにより、伝送システム１において、複数の端末１０間のテレビ会議が実現される。
【００１９】
以下、「画像データ及び音データ」を「コンテンツデータ」として表す。なお、端末１０間で伝送されるコンテンツデータは、本実施形態に限定されるものではない。他の例としては、コンテンツデータは、テキストデータであっても良く、また、他の例としては、コンテンツデータは、音データ、画像データに加えてテキストデータを含むものであっても良い。また、画像データは、動画であっても良く、静止画であっても良い。また、画像データは、動画と静止画の両方を含んでいても良い。
【００２０】
また、本実施形態に係る伝送システム１において、テレビ会議を開始する場合、開始を希望するユーザが、所定の端末１０を操作することにより、操作された端末１０は、開始要求情報を管理装置５０に送信する。
【００２１】
ここで、開始要求情報とは、テレビ会議に用いるセッションの開始を要求する情報であって、セッション相手としての端末１０を指定する情報を含む。
【００２２】
なお、要求先端末（セッション相手）は、１つの端末１０であってもよく、２以上の端末１０であっても良い。すなわち、伝送システム１においては、２つの端末１０間だけでなく、３つ以上の端末１０間で確立されたセッションを用いたテレビ会議を実現することができる。
【００２３】
さらに、本実施形態に係る伝送システム１においては、既にセッションが確立され、開始しているテレビ会議に、途中から他のユーザが参加することも可能である。参加を希望するユーザが、所定の端末１０を操作することにより、操作された端末１０は、参加を希望するテレビ会議に用いられている、確立中のセッション（以下、確立中セッションと称する）を指定した、参加要求情報を管理装置５０に送信する。なお、以下の説明の中で、参加要求情報を送信する端末１０を「参加要求端末」と表す。
【００２４】
管理装置５０は、端末１０及び中継装置３０を一元的に管理する。管理装置５０は、端末１０間での通信セッションを確立することにより、端末１０間における通信によるテレビ会議を実現する。
【００２５】
管理装置５０は、要求元端末から通信セッションの開始要求情報を受信した場合に、要求元端末と要求先端末の間の通信セッションを確立し、テレビ会議を開始させる。管理装置５０は、また、所定の端末１０から既に確立しているセッション（以下、確立中セッションと称する）への参加要求情報を受信した場合に、参加要求端末を、確立中セッションに参加させる。
【００２６】
また、図１に示されている複数のルータ（７０ａ、７０ｂ、７０ｃ、７０ｄ、７０ａｂ、７０ｃｄ）は、コンテンツデータの最適な経路の選択を行う。なお、本実施形態では、ルータ（７０ａ、７０ｂ、７０ｃ、７０ｄ、７０ａｂ、７０ｃｄ）のうち任意のルータを示す場合には「ルータ７０」を用いる。中継装置３０は、複数の端末１０の間で、コンテンツデータの中継を行う。
【００２７】
プログラム提供装置９０は、端末１０に各種機能又は各種手段を実現させるための端末用プログラムが記憶された、後述するＨＤ（Hard Disk）を備えており、端末１０に、端末用プログラムを送信することができる。
【００２８】
また、プログラム提供装置９０のＨＤには、中継装置３０に各種機能又は各種手段を実現させるための中継装置用プログラムも記憶されており、中継装置３０に、中継装置用プログラムを送信することができる。
【００２９】
さらに、プログラム提供装置９０のＨＤには、管理装置５０に各種機能又は各種手段を実現させるための伝送管理用プログラムも記憶されており、管理装置５０に、伝送管理用プログラムを送信することができる。
【００３０】
また、端末（１０ａａ、１０ａｂ、１０ａｃ、・・・）、中継装置３０、及びルータ７０ａは、ＬＡＮ２ａによって通信可能に接続されている。端末（１０ｂａ、１０ｂｂ、１０ｂｃ、・・・）、中継装置３０、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されていると共に、ＬＡＮ２ｂは大阪の事業所内で構築されている。
【００３１】
一方、端末（１０ｃａ、１０ｃｂ、１０ｃｃ、・・・）、中継装置３０、及びルータ７０ｃは、ＬＡＮ２ｃによって通信可能に接続されている。端末（１０ｄａ、１０ｄｂ、１０ｄｃ、・・・）、中継装置３０、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカであり、ＬＡＮ２ｃはニューヨークの事業所内で構築されていると共に、ＬＡＮ２ｄはワシントンＤ．Ｃ．の事業所内で構築されている。地域Ａ及び地域Ｂは、それぞれルータ（７０ａｂ，７０ｃｄ）からインターネット２ｉを介して通信可能に接続されている。
【００３２】
また、管理装置５０、及びプログラム提供装置９０は、インターネット２ｉを介して、端末１０、及び中継装置３０と通信可能に接続されている。管理装置５０、及びプログラム提供装置９０は、地域Ａ又は地域Ｂに設置されていても良いし、これら以外の地域に設置されていても良い。
【００３３】
また、中継装置３０は、通信ネットワーク２を介して端末１０と通信可能に接続されている。この中継装置３０は、常時稼働しており、地域Ａ又は地域Ｂのローカルエリア内における通信量の影響を受けにくくするために、これら以外の地域に設置されている。
【００３４】
なお、本実施形態では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、通信ネットワーク２が構築されている。この通信ネットワーク２には、有線だけでなく無線による通信が行われる箇所があっても良い。
【００３５】
また、図１に示す例において、各端末１０、中継装置３０、管理装置５０、各ルータ７０、及びプログラム提供装置９０の下に示されている４組の数字は、一般的なＩＰｖ４におけるＩＰアドレスを簡易的に示す。例えば、端末１０ａａのＩＰアドレスは「１．２．１．３」である。また、ＩＰｖ４ではなく、ＩＰｖ６を用いても良いが、説明を簡略化するため、ＩＰｖ４を用いて説明する。
【００３６】
次に、本実施形態の伝送システム１に含まれる各装置のハードウェアの構成を説明する。はじめに、端末１０の外観とハードウェアの構成について説明する。
【００３７】
図３は、一実施形態に係る端末の一例の外観図である。以下、端末１０の長手方向をＸ軸方向、水平面内でＸ軸方向に直交する方向をＹ軸方向、Ｘ軸方向及びＹ軸方向に直交する方向（鉛直方向）をＺ軸方向として説明する。
【００３８】
図３に示されているように、端末１０は、筐体１１０１、アーム１２００、及びカメラハウジング１３００を備える。このうち、筐体１１０１の前側壁面１１１０には、複数の吸気孔によって形成された吸気面が設けられており、筐体１１０１の後側壁面１１２０には、複数の排気孔が形成された排気面１１２１が設けられている。
【００３９】
これにより、筐体１１０１に内蔵された冷却ファンの駆動によって、吸気面を介して端末１０の前方の外気を取り込み、排気面１１２１を介して端末１０の後方へ排気することができる。筐体１１０１の右側壁面１１３０には、収音用孔１１３１が形成され、後述する内蔵型のマイク１１４によって音声、物音、雑音等の音が収音可能となっている。
【００４０】
筐体１１０１の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられている。また、操作パネル１１５０には、後述の内蔵型のスピーカ１１５からの出力音を通すための複数の音声出力孔によって形成された音出面１１５１が形成されている。また、筐体１１０１の左側壁面１１４０側には、アーム１２００及びカメラハウジング１３００を収容するための凹部としての収容部１１６０が形成されている。筐体１１０１の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１０１の左側壁面１１４０には、後述の外部機器接続Ｉ／Ｆ１１８に対して電気的にディスプレイ１２０用のケーブル１２０ｃを接続するための接続口が設けられている。
【００４１】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００４２】
次に、アーム１２００は、トルクヒンジ１２１０を介して筐体１１０１に取り付けられており、アーム１２００が筐体１１０１に対して、１３５度のチルト角θ１の範囲で、上下方向に回転可能に構成されている。図３では、チルト角θ１が９０度の状態を示している。
【００４３】
カメラハウジング１３００には、後述の内蔵型のカメラ１１２が設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００は、トルクヒンジ１３１０を介してアーム１２００に取り付けられており、カメラハウジング１３００がアーム１２００に対して、図３で示されている状態を０度として±１８０度のパン角θ２の範囲で、且つ、±４５度のチルト角θ３の範囲で、上下左右方向に回転可能に構成されている。
【００４４】
なお、他の例としては、端末１０は、一般の汎用コンピュータ、タブレット端末、スマートホン等の情報端末であっても良い。端末１０として用いる情報端末に、マイクやカメラが備わっていない場合には、外付けのマイク及びカメラをコンピュータに接続させることとする。これにより、情報端末を、本実施形態に係る端末１０として利用することができる。
【００４５】
また、端末１０として情報端末を用いる場合には、当該情報端末に後述する端末１０の処理を実行するためのアプリケーションをインストールしておくこととする。よって、端末１０は、図３に示す端末と一般の情報端末とを含めて情報処理端末とも称する。
【００４６】
なお、中継装置３０、管理装置５０、プログラム提供装置９０、及びメンテナンスシステム１００は、それぞれ一般のサーバ・コンピュータの外観と同じであるため、外観の説明を省略する。
【００４７】
次に、図４を参照して端末１０のハードウェアの構成について説明する。図４は、一実施形態に係る端末のハードウェア構成の例を示す図である。
【００４８】
端末１０は、一般的なコンピュータの構成を含み、例えば、ＣＰＵ（Central Processing Unit)１０１、ＲＯＭ（Read Only Memory)１０２、ＲＡＭ(Random Access Memory)１０３、フラッシュメモリ１０４、及びＳＳＤ（Solid State Drive）１０５を有する。また、端末１０は、メディアドライブ１０７、操作ボタン１０８、電源スイッチ１０９、ネットワークＩ／Ｆ(Interface)１１１、カメラ１１２、撮像素子Ｉ／Ｆ１１３、マイク１１４、スピーカ１１５、及び音声入出力Ｉ／Ｆ１１６を有する。さらに、端末１０は、ディスプレイＩ／Ｆ１１７、外部機器接続Ｉ／Ｆ１１８、アラームランプ１１９、及びバス１１０等を有する。
【００４９】
ＣＰＵ１０１は、例えば、ＲＯＭ１０２や、フラッシュメモリ１０４等からプログラムやデータを読出し、処理を実行することで、端末１０が備える各機能を実現する演算装置である。ＲＯＭ１０２は、例えば、ＩＰＬ（Initial Program Loader）等のＣＰＵ１０１の起動に用いられるプログラム等を予め記憶した不揮発性のメモリである。ＲＡＭ１０３は、ＣＰＵ１０１のワークエリア等として利用される揮発性のメモリである。
【００５０】
フラッシュメモリ１０４は、例えば、ＯＳ（Operating System）、アプリケーションプログラム、及び各種のデータ等を記憶するストレージデバイスである。ＳＳＤ１０５は、ＣＰＵ１０１の制御に従ってフラッシュメモリ１０４に対する各種データの読み出し、書き込みを制御する。メディアドライブ１０７は、例えば、メモリカード等の記録メディア１０６に対するデータの読み出し又は書き込み（記憶）を制御する。
【００５１】
操作ボタン１０８は、端末１０の利用者の入力操作を受け付ける入力装置である。電源スイッチ１０９は、端末１０の電源のオン／オフを切り替えるためのスイッチである。ネットワークＩ／Ｆ１１１は、通信ネットワーク２を利用して通信するための通信インタフェースである。
【００５２】
カメラ１１２は、ＣＰＵ１０１の制御に従って被写体を撮像するための撮像装置である。撮像素子Ｉ／Ｆ１１３は、カメラ１１２による撮像を制御すると共に、撮像したデータを所定の画像データ（映像データ）に変換する。マイク１１４は、収音した音声を電気信号に変換する。スピーカ１１５は、音声信号を音声に変換して出力する。音声入出力Ｉ／Ｆ１１６は、マイク１１４及びスピーカ１１５による音声の入出力を制御する。
【００５３】
ディスプレイＩ／Ｆ１１７は、ＣＰＵ１０１の制御に従って、ディスプレイ１２０に画像データを伝送する。外部機器接続Ｉ／Ｆ１１８は、各種の外部機器を接続するためのインタフェースである。アラームランプ１１９は、端末１０の各種機能の異常を知らせる発光デバイスである。バス１１０は、上記の各構成に共通に接続され、アドレス信号、データ信号、及び各種の制御信号等を伝達する。
【００５４】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。
【００５５】
カメラ１１２は、レンズや、光を電荷に変換して被写体の画像（映像）を電子化する固体撮像素子を含み、固体撮像素子として、ＣＭＯＳ（Complementary Metal Oxide Semiconductor）や、ＣＣＤ（Charge Coupled Device）等が用いられる。
【００５６】
外部機器接続Ｉ／Ｆ１１８には、図３に示されている筐体１１０１の接続口１１３２に差し込まれたＵＳＢ(Universal Serial Bus)ケーブル等によって、外付けカメラ、外付けマイク、及び外付けスピーカ等の外部機器がそれぞれ電気的に接続可能である。
【００５７】
外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００５８】
なお、記録メディア１０６は、端末１０に対して着脱自在な構成となっている。また、ＣＰＵ１０１の制御に従ってデータの読み出し又は書き込みを行う不揮発性メモリであれば、フラッシュメモリ１０４に限らず、ＥＥＰＲＯＭ（Electrically Erasable and Programmable ROM）等を用いても良い。
【００５９】
さらに、上記の端末用プログラムは、インストール可能な形式又は実行可能な形式のファイルによって、コンピュータで読み取り可能な記録媒体（記録メディア１０６等）に記録されて流通されるようにしても良い。また、上記端末用プログラムは、フラッシュメモリ１０４ではなくＲＯＭ１０２に記憶させるようにしても良い。
【００６０】
次に、図５を参照して、管理装置５０のハードウェア構成について説明する。図５は、一実施形態に係る管理装置のハードウェア構成図である。
【００６１】
管理装置５０は、一般的なコンピュータのハードウェア構成を有しており、例えば、ＣＰＵ２０１、ＲＯＭ２０２、ＲＡＭ２０３、ＨＤ２０４、ＨＤＤ（Hard Disk Drive）２０５、メディアドライブ２０７、及びディスプレイ２０８等を有する。また、管理装置５０は、ネットワークＩ／Ｆ２０９、キーボード２１１、マウス２１２、ＣＤ−ＲＯＭ（Compact Disc）ドライブ２１４、及びバス２１０等を有する。
【００６２】
ＣＰＵ２０１は、例えば、ＲＯＭ２０２、ＨＤ２０４等に格納されたプログラムやデータを読出し、処理を実行することにより、管理装置５０が備える各機能を実現する演算装置である。ＲＯＭ２０２は、例えば、ＩＰＬ等のＣＰＵ２０１の起動に用いられるプログラム等を予め記憶した不揮発性のメモリである。ＲＡＭ２０３は、ＣＰＵ２０１のワークエリア等として利用される揮発性のメモリである。
【００６３】
ＨＤ２０４は、例えば、ＯＳや、アプリケーションプログラム等のプログラムや、各種のデータを記憶するストレージデバイスである。ＨＤＤ２０５は、ＣＰＵ２０１の制御に従って、ＨＤ２０４に対する各種データの読み出し又は書き込みを制御する。ディスプレイ２０８は、例えば、カーソル、メニュー、ウィンドウ、文字、又は画像等の各種の情報を表示する表示装置である。
【００６４】
ネットワークＩ／Ｆ２０９は、通信ネットワーク２を利用してデータ通信を行うための通信インタフェースである。キーボード２１１は、利用者による文字、数値、各種指示などの入力操作を受け付けるための入力装置の一例である。マウス２１２は、利用者による各種指示の選択や実行、処理対象の選択、カーソルの移動等の操作を受け付けるポインティングデバイスの一例である。
【００６５】
メディアドライブ２０７は、例えば、メモリカード等の記録メディア２０６に対するデータの読み出しや、書き込み（記憶）を制御する。ＣＤ−ＲＯＭドライブ２１４は、着脱可能な記録媒体の一例としての各種のＣＤ−ＲＯＭ２１３に対するデータの読み出し又は書き込みを制御する。バス２１０は、上記の各構成要素を電気的に接続し、アドレス信号、データ信号、及び各種の制御信号等を伝達する。
【００６６】
なお、管理装置５０のハードウェア構成はあくまで一例である。例えば、ディスプレイ２０８、キーボード２１１、マウス２１２等は、管理装置５０の外部に外付けされているものであっても良い。
【００６７】
また、管理装置５０用のプログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。また、管理装置５０用のプログラムは、ＨＤ２０４に記憶するものであっても良いし、予めＲＯＭ２０２に記憶されたもの等であっても良い。
【００６８】
また、中継装置３０は、管理装置５０と同様のハードウェア構成を有しているため、その説明を省略する。ただし、ＨＤ２０４には、中継装置３０を制御するための中継装置３０用のプログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。
【００６９】
さらに、プログラム提供装置９０は、管理装置５０と同様のハードウェア構成を有しているため、その説明を省略する。ただし、ＨＤ２０４には、プログラム提供装置９０を制御するためのプログラム提供用プログラムが記録されている。この場合も、プログラム提供用プログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。
【００７０】
なお、上記着脱可能な記録媒体の他の例として、ＣＤ−Ｒ（Compact Disc Recordable）、ＤＶＤ（Digital Versatile Disk）、ブルーレイディスク等のコンピュータで読み取り可能な記録媒体に記録して提供するように構成しても良い。
【００７１】
次に、本実施形態の伝送システム１の有する端末１０と管理装置５０の機能について説明する。
【００７２】
図６は、一実施形態に係る端末、及び管理装置の機能構成図である。図６に示すように、端末１０、中継装置３０及び管理装置５０は、通信ネットワーク２を介して、互いに通信可能に接続されている。なお、図１に示したプログラム提供装置９０は、本実施形態に係る通信に直接関係しないため、図６では図示が省略されている。
【００７３】
はじめに、端末１０の機能について説明する。
【００７４】
端末１０は、送受信部１１、操作入力受付部１２、通信制御部１３、撮像部１４、音入力部１５、音出力部１６、表示制御部１７、作成部１８、管理部１９、判断部２０、決定部２１、及び記憶・読出部２２、要求生成部２３、応答生成部２４、種別判定部２５を有する。上記の各部は、フラッシュメモリ１０４からＲＡＭ１０３上に展開された端末制御プログラム（情報処理プログラム）が、ＣＰＵ１０１で実行されることにより実現される機能である。また、端末１０は、ＲＡＭ１０３、フラッシュメモリ１０４等によって構成される記憶部１０００を有する。
【００７５】
送受信部１１は、例えば、図４に示されているＣＰＵ１０１で実行されるプログラム、及び図４に示されているネットワークＩ／Ｆ１１１等によって実現され、通信ネットワーク２を介して他の端末、装置又はシステムと各種データ、情報等の送受信を行う。例えば、送受信部１１は、管理装置５０から、要求先端末となる端末１０を示す要求先端末情報、及び要求先端末の稼働状態等を示す状態情報を受信する受信部として機能する。
【００７６】
本実施形態に係る送受信部１１は、要求先端末とテレビ会議を開始する前から、管理装置５０により、テレビ会議の接続先となり得る各端末１０（要求先端末）の状態を示す状態情報の受信を開始する。状態情報は、各端末１０がオンラインかオフラインかの稼働状態を表すだけでなく、オンラインで通信可能であるか、オンラインで通信中であるか等の稼働状態を表しても良い。さらに、状態情報は、各端末１０が参加する通信セッションを識別する識別情報であるセッションＩＤ等を含んでいても良い。さらに、状態情報は、端末１０でケーブル１２０ｃが端末１０から外れていたり、音を出力するが画像は出力させなかったり、音を出力させないようにする（ＭＵＴＥ）等、様々な状態を表しても良い。
【００７７】
操作入力受付部１２は、例えば、図４に示されているＣＰＵ１０１で実行されるプログラム、及び図４に示されている操作ボタン１０８、電源スイッチ１０９等によって実現され、利用者による各種入力を受け付ける。例えば、利用者が、図４に示されている電源スイッチ１０９をオンにすると、図６に示されている操作入力受付部１２が電源オンを受け付けて、電源をオンに制御する。また、操作入力受付部１２は、要求先選択画面における要求先の選択操作等を、例えば、操作ボタン１０８の押下等により受け付ける。
【００７８】
通信制御部１３は、例えば、図４に示されているＣＰＵ１０１で実行されるプログラムによって実現される。通信制御部１３は、例えば、上記電源オンの受付を契機として、送受信部１１から通信ネットワーク２を介して管理装置５０に要求元端末の現時点のＩＰアドレスを自動的に送信する。また、通信制御部１３は、ログインを要求する旨を示すログイン要求情報を管理装置５０へ送信する。
【００７９】
また、送受信部１１は、利用者が電源スイッチ１０９をオンの状態からオフにすると、管理装置５０へ電源をオフする旨の状態情報を送信する。その後に、操作入力受付部１２は、電源をオフにする。これにより、管理装置５０は、端末１０の電源がオンからオフになったことを把握することができる。
【００８０】
また、通信制御部１３は、中継装置３０を介して、他の端末１０とコンテンツデータの送受信を行う通信セッションの確立や、切断等、様々な通信制御を行う。
【００８１】
撮像部１４は、例えば、図４に示されているＣＰＵ１０１で実行されるプログラム、及び図４に示されているカメラ１１２、撮像素子Ｉ／Ｆ１１３等によって実現され、被写体を撮像して、この撮像して得た画像データを出力する。
【００８２】
音入力部１５は、例えば、図４に示されているＣＰＵ１０１で実行されるプログラム、及び図４に示されている音声入出力Ｉ／Ｆ１１６等によって実現され、マイク１１４によって利用者の音声が音声信号に変換された後、音声信号に係る音データを入力する。
【００８３】
音出力部１６は、例えば、図４に示されているＣＰＵ１０１で実行されるプログラム、及び図４に示されている音声入出力Ｉ／Ｆ１１６等によって実現され、音データに係る音声信号をスピーカに出力して、スピーカ１１５から音を出力させる。
【００８４】
表示制御部１７は、例えば、図４に示されているＣＰＵ１０１で実行されるプログラム、及び図４に示されているディスプレイＩ／Ｆ１１７等によって実現され、画像データをディスプレイ１２０に表示させる。例えば、表示制御部１７は、通信の宛先を選択するための宛先リストを、ディスプレイ１２０等の表示部に表示させる。
【００８５】
本実施形態に係る表示制御部１７は、後述する作成部１８、管理部１９、判断部２０等と協働して、宛先リストを表示部に表示させる。例えば、表示制御部１７は、判断部２０が、通信先との通信が異常終了したと判断した場合、管理部１９が管理する通信先の端末の情報を用いて、通信していた端末を判別できるように、作成部１８が作成した宛先リスト１００２を表示部に表示させる。なお、表示制御部１７による宛先リストの具体的な表示制御方法については後述する。
【００８６】
作成部１８は、例えば、図４に示されているＣＰＵ１０１で実行されるプログラムによって実現される。作成部１８は、送受信部１１が管理装置５０から受信する、要求先端末情報、及び状態情報を用いて、要求先端末に含まれる端末の識別情報を、通信の宛先の選択肢として示す宛先リストの作成、及び更新等を行う。つまり、宛先端末とは、要求先端末のうち、宛先リストにおいて通信の宛先の選択肢とされた端末である。
【００８７】
好ましくは、宛先リストには、宛先端末の情報（例えば、端末名、宛先名等）と、宛先端末の稼働状態を示す情報等（例えば、宛先端末の状態を示すアイコン等）が含まれる。
【００８８】
管理部１９は、例えば、図４に示されているＣＰＵ１０１で実行されるプログラムによって実現される。管理部１９は、端末１０と通信を行う他の端末１０の情報（例えば、端末を識別するための識別情報等）を、記憶部１０００の通信情報１００１に記憶して、管理する。
【００８９】
好ましくは、管理部１９は、端末１０と通信を行う他の端末の識別情報を、優先度をつけて管理する。これにより、端末１０が複数の端末と通信を行っている場合でも、他の端末より優先度が高い１つの端末を特定することができる。以下の説明では、端末の識別情報を、単に「識別情報」と表現する。なお、識別情報には、端末を識別するための端末ＩＤやユーザを識別するためのユーザＩＤ等が含まれる。
【００９０】
好ましくは、管理部１９は、端末１０と通信を行う（又は行っていた）１つ以上の識別情報と、各端末の優先度を示す情報と、端末１０が参加している（又は参加していた）遠隔会議のセッションを識別するセッションＩＤと、を対応付けて管理する。これにより、他のセッションに参加している端末等を除外して、他の端末より優先度が高い１つの端末を特定することができるようになる。
【００９１】
判断部２０は、例えば、図４に示されているＣＰＵ１０１で実行されるプログラムによって実現され、他の端末１０との通信が終了した場合、通信が正常終了したか、異常終了したかを判断する。
【００９２】
好ましくは、判断部２０は、端末１０の利用者の操作により通信が終了した場合、通信が正常終了したと判断する。また、判断部２０は、端末１０の利用者の操作とは異なる要因により通信が終了した場合、通信が異常終了したと判断する。なお、利用者の操作とは異なる要因には、例えば、通信ネットワーク２、通信先の端末１０、中継装置３０、ルータ７０、及び管理装置５０等による要因が含まれる。
【００９３】
また、別の一例として、判断部２０は、通信が終了されたときに、送受信部１１、又は通信制御部１３から通知される切断理由等に基づいて、通信が正常終了したか、異常終了したかを判断するもの等であっても良い。例えば、判断部２０は、通信制御部１３（又は送受信部１１）から通知される切断理由が正常切断である場合（又は切断理由がない場合）、正常終了と判断するものであっても良い。また、判断部２０は、通信制御部１３（又は送受信部１１）から通知される切断理由が、正常切断以外の切断理由を含む場合（例えば、通信品質劣化、タイマタイムアウト等）、異常終了と判断するもの等であっても良い。
【００９４】
決定部２１は、例えば、図４に示されているＣＰＵ１０１で実行されるプログラムによって実現される。決定部２１は、例えば、他の端末との通信が正常終了したか、異常終了したかに応じて、表示制御部１７が表示させる宛先リストにおいて、通信の要求先に選択されていることを示す表示要素を表示させる宛先を決定する。例えば、決定部２１は、他の端末１０との通信が終了したときに、他の端末との通信が正常終了したか、異常終了したかに応じて、表示制御部１７が表示させる宛先リストにおいて、どの宛先にフォーカスをあてるかを決定する。
【００９５】
なお、フォーカスとは、例えば、コンピュータ等の操作画面で、表示要素等が選択され、入力可能な状態にあることを示す。本実施形態では、フォーカスをあてるとは、表示制御部１７が表示させる宛先リストにおいて、通信の要求先として選択されている宛先を、例えば、太枠、反転表示、カーソル等の表示要素により、判別可能に表示することを示す。尚、「判別可能に表示すること」とは、受付した識別情報がリストにあることが分かるように表示することであり、例えば、識別情報自体を判別可能に表示するだけでなく、「リストにあります」等のメッセージを表示することで判別可能としても良い。
【００９６】
従って、端末１０は、利用者による通信の開始を指示する発信操作を受け付けると、宛先リストにおいて、フォーカスがあてられている宛先への発信処理を開始する。なお、フォーカスは、宛先リストにおいて、１つの端末が、通信の要求先として選択されていることを判別できるように表示する方法の一例である。
【００９７】
記憶・読出部２２は、図４に示されているＣＰＵ１０１で実行されるプログラム、及び図４に示されているＳＳＤ１０５等によって実現され、記憶部１０００に対する各種データの記憶、記憶部１０００に記憶された各種データを読出等の処理を行う。
【００９８】
要求生成部２３は、操作入力受付部１２による入力の受け付けに応じて、端末１０のセッションの開始要求情報や、セッションへの参加要求情報を生成する。より具体的には、要求生成部２３は、管理装置５０へ開始要求を送信する場合には、送信先として管理装置５０が指定された開始要求情報を生成する。また、要求生成部２３は、要求先端末へ開始要求を送信する場合には、送信先に要求先端末が指定された開始要求情報を生成する。要求生成部２３と開始要求情報の詳細は後述する。
【００９９】
応答生成部２４は、他の端末１０から開始要求や参加要求等を受けた際に応答する。種別判定部２５は、要求先端末や、管理装置５０からの開始指示情報等に応じて、セッションの種別が制限付きであるか否かを判定する。応答生成部２４、種別判定部２５の処理の詳細は後述する。
【０１００】
記憶部１０００は、例えば、図４のフラッシュメモリ１０４、ＲＡＭ１０３、及び図４のＣＰＵ１０１で実行されるプログラム等によって実現され、例えば、端末１０の識別するための識別情報、パスワード等の情報を記憶する。
【０１０１】
また、記憶部１０００は、要求先端末とテレビ会議を行う際に受信される画像データ及び音データの受信バッファ等としても用いられる。
【０１０２】
次に、管理装置５０の機能について説明する。
【０１０３】
管理装置５０は、送受信部５１、認証部５２、端末管理部５３、端末抽出部５４、端末状態取得部５５、セッション管理部５６、及び記憶・読出部５７、宛先リスト管理部５８、参加判定部５９、送信先判定部６０を有する。これら各部は、ＨＤ２０４からＲＡＭ２０３上に展開された伝送管理用プログラムを、ＣＰＵ２０１が実行することによって実現される機能である。また、管理装置５０は、ＨＤ２０４等により構成される記憶部５０００を有する。
【０１０４】
ここで、管理装置５０が、記憶部５０００に記憶して管理する情報について説明する。記憶部５０００には、認証管理データベース５００２、端末管理データベース５００３、宛先リスト管理データベース５００４、セッション管理データベース５００５が格納されている。本実施形態の記憶部５０００に格納された各データベースは、予め記憶部５０００に設けられたものであっても良い。
【０１０５】
図７は、一実施形態に係る管理装置が管理する情報の例を示す第一の図である。
【０１０６】
図７（ａ）は、認証管理テーブルの一例を示す図であり、図７（ｂ）は、宛先リスト管理テーブルの一例を示す図である。
【０１０７】
記憶部５０００には、例えば、図７（ａ）に示すような認証管理テーブル７０１を含む認証管理ＤＢ５００２が構築されている。認証管理テーブル７０１では、管理装置５０によって管理される各端末１０を識別する識別情報である識別情報に対して、各パスワードが関連付けられて管理される。例えば、図７（ａ）に示した認証管理テーブル７０１は、識別情報「０１ａａ」に対応するパスワードが「ａａａａ」であることを示している。
【０１０８】
図７（ｂ）は、宛先リスト管理テーブルの一例を示している。記憶部５０００には、例えば、図７（ｂ）に示すような宛先リスト管理テーブル７０２を含む宛先リスト管理ＤＢ５００４が構築されている。宛先リスト管理テーブル７０２では、要求元端末が用いている識別情報である要求元識別情報と、宛先端末が用いている識別情報である宛先識別情報とが対応付けられて管理されている。ここで、要求元端末とはテレビ会議に利用される通信の開始を要求する要求情報の要求元の端末１０である。
【０１０９】
また、宛先端末とは、要求元端末が要求情報の要求先とすることのできる要求先端末のうち、宛先リスト管理テーブル７０２に識別情報が登録された要求先端末である。
【０１１０】
例えば、図７（ｂ）の例では、識別情報が「０１ａａ」である端末１０からテレビ会議の開始を要求することのできる要求先端末は、識別情報が「０１ａｂ」、「０１ｂａ」、「０１ｄｂ」、「０１ｄｃ」、「０１ｃａ」、「０１ｃｂ」の端末１０であることが示されている。要求先端末は、例えば、端末１０から管理装置５０に対してなされる要求に応じて、追加又は削除される。
【０１１１】
図８は、一実施形態に係る管理装置が管理する情報の例を示す第二の図である。
【０１１２】
図８（ａ）は、端末管理テーブルの一例を示す図であり、図８（ｂ）は、セッション管理テーブルの一例を示す図である。記憶部５０００には、例えば、図８（ａ）に示すような端末管理テーブル８０１を含む端末管理ＤＢ５００３が構築されている。
【０１１３】
端末管理テーブル８０１では、各端末１０の識別情報毎に、各端末１０の要求先端末の名称（以下、「端末名」と呼ぶ）と、各端末１０の稼働状態と、受信日時と、端末１０のＩＰアドレスと、参加認証情報が関連付けられて管理されている。受信日時は、伝送システム１にログインするためのログイン要求情報を管理装置５０が受信した日時である。
【０１１４】
例えば、図８（ａ）に示した端末管理テーブル８０１は、識別情報が「０１ａａ」の端末１０に対して、端末名が「日本  東京事業所  ＡＡ端末」で、稼働状態が「オンライン（通信中）」で、管理装置５０でログイン要求情報が受信された日時が「２０ｘｘ年１１月１０日の１３時４０分」で、端末１０のＩＰアドレスが「１．２．１．３」であることを表している。
【０１１５】
ここで、端末管理テーブル８０１の識別情報は、端末１０が伝送システム１に登録されるときに、ユニークに割り当てられ、端末名は、管理装置５０の管理者によって登録又は変更される。なお、端末名は、端末１０から管理装置５０に対してなされる要求に応じて、登録又は変更されても良い。
【０１１６】
また、稼働状態が「オンライン（通信可能）」とは、端末１０が伝送システム１にログインした状態で、テレビ会議に参加していない状態であることを表す。「オンライン（通信中）」とは、端末１０が伝送システム１にログインした状態で、テレビ会議に参加している状態であることを表す。音データ状態が「オフライン」とは、端末１０が伝送システム１にログインしていない状態であることを表す。
【０１１７】
参加認証情報は、参加制限のあるセッションへの参加を認証するための情報である。言い換えれば、参加認証情報は、参加制限のあるセッションへの参加資格を示す情報である。本実施形態では、参加認証情報は、アルファベット、数字、記号、数字を組み合わせたＰＩＮコード等が用いられる。ただし、参加認証情報は、これに限定されず、その他の形態であっても良い。
【０１１８】
管理装置５０の記憶部５０００に記憶されたセッション管理ＤＢ５００５には、例えば、図８（ｂ）に示されているようなセッション管理テーブル８０２が含まれる。セッション管理テーブル８０２には、通信セッションの識別情報であるセッションＩＤ毎に、中継装置３０を識別する識別情報である中継装置ＩＤ、要求元識別情報、要求先識別情報、及び参加識別情報等の情報が記憶されている。
【０１１９】
なお、要求元識別情報は、テレビ会議等の通信セッションの開始を要求する要求元端末の識別情報であり、要求先識別情報は、要求先端末が用いている識別情報である。また、参加識別情報は、開催中のテレビ会議等の通信セッション（確立中セッション）に参加を要求する１つ以上の参加要求端末が用いている識別情報である。
【０１２０】
本実施形態では、要求先識別情報には、宛先リスト管理テーブル７０２に登録されている宛先識別情報、及び、宛先リスト管理テーブル７０２に登録されていない要求先識別情報、の両方が含まれる。
【０１２１】
例えば、図８（ｂ）に示されているセッション管理テーブル８０２において、セッションＩＤ「ｓｅ１」のセッションには、識別情報「０１ａａ」の端末、識別情報「０１ｄｂ」の端末、及び識別情報「０１ｄｂ」の端末が参加していることが示されている。
【０１２２】
ここで、図６に戻り、管理装置５０の機能構成の説明を続ける。
【０１２３】
送受信部５１は、例えば、図５のネットワークＩ／Ｆ２０９、及び図５のＣＰＵ２０１で実行されるプログラム等によって実現され、通信ネットワーク２を介して他の端末１０又は装置３０、９０と各種データや情報の送受信を行う。
【０１２４】
送受信部５１は、要求元端末に対して、要求元識別情報に対応する宛先識別情報のリスト（以下、宛先リスト情報と呼ぶ）と、宛先リスト情報に含まれる宛先識別情報を用いた各端末の稼働状態を示す状態情報と、を送信する。また、送受信部５１は、要求先端末としての端末の稼働状態が変更された場合には、その都度、最新の状態情報を要求元端末に送信する。
【０１２５】
認証部５２は、例えば、図５のＣＰＵ２０１で実行されるプログラムによって実現される。認証部５２は、送受信部５１を介して受信されたログイン要求情報に含まれている識別情報及びパスワードを検索キーとして、記憶部５０００の認証管理ＤＢ５００２に含まれる認証管理テーブル７０１を検索する。また、認証部５２は、認証管理ＤＢ５００２に、ログイン要求情報に含まれている識別情報及びパスワードが管理されているかを判断することによって端末１０の認証を行う。
【０１２６】
端末管理部５３は、例えば、図５のＣＰＵ２０１で実行されるプログラムによって実現される。端末管理部５３は、ログイン要求してきた要求元端末の稼働状態を管理する。端末管理部５３は、例えば、要求元端末の要求元識別情報に対して、稼働状態、管理装置５０でログイン要求情報が受信された受信日時及びＩＰアドレスを関連付けて端末管理ＤＢ５００３に含まれる端末管理テーブル８０１に記憶して、管理する。
【０１２７】
また、端末管理部５３は、例えば、利用者が端末１０の電源スイッチ１０９の状態をオンからオフにした場合、端末１０から送られてきた、電源をオフする旨の状態情報に基づいて、端末管理テーブル８０１における端末１０の稼働状態をオンラインからオフラインに変更する。
【０１２８】
端末抽出部５４は、例えば、図５のＣＰＵ２０１で実行されるプログラムによって実現される。端末抽出部５４は、ログイン要求した要求元端末の要求元識別情報を検索キーとして、宛先リスト管理ＤＢ５００４に含まれる宛先リスト管理テーブル７０２を検索し、要求元識別情報に対する宛先識別情報を抽出する。
【０１２９】
また、端末抽出部５４は、ログイン要求してきた要求元端末の要求元識別情報を検索キーとして、宛先リスト管理テーブル７０２を検索し、要求元識別情報を宛先識別情報として登録している他の要求元端末の要求元識別情報も抽出する。
【０１３０】
端末状態取得部５５は、例えば、図５のＣＰＵ２０１で実行されるプログラムによって実現される。端末状態取得部５５は、端末抽出部５４によって抽出された宛先識別情報を検索キーとして、端末管理ＤＢ５００３に含まれる端末管理テーブル８０１を検索し、検出された宛先識別情報毎に、検出された宛先識別情報を用いた端末の稼働状態を読み出す。言い換えれば、端末状態取得部５５は、端末管理テーブル８０１において、端末抽出部５４によって抽出された宛先識別情報と一致する識別情報と対応付けられた稼働状態を読み出す。
【０１３１】
これにより、端末状態取得部５５は、ログイン要求してきた要求元端末に対する要求先端末となる端末の稼働状態を取得することができる。また、端末状態取得部５５は、ログイン要求してきた要求元端末の要求元識別情報を検索キーとして、端末管理ＤＢ５００３を検索し、ログイン要求してきた要求元端末の稼働状態も取得する。
【０１３２】
セッション管理部５６は、例えば、図５のＣＰＵ２０１で実行されるプログラムによって実現され、管理装置５０で開催されるテレビ会議（遠隔会議の一例）が開催される通信セッションを管理する。例えば、セッション管理部５６は、通信セッションを開始する際に、通信セッションを識別するための識別情報であるセッションＩＤを生成する。また、セッション管理部５６は、生成したセッションＩＤに対応付けて、通信セッションに参加する端末１０の識別情報、中継装置３０の中継装置ＩＤ等の情報を、セッション管理ＤＢ５００５に含まれるセッション管理テーブル８０２に記憶して、管理する。
【０１３３】
記憶・読出部５７は、例えば、図５のＨＤＤ２０５、及び図５のＣＰＵ２０１で実行されるプログラム等によって実現され、記憶部５０００に対する各種データを記憶、及び記憶部５０００に記憶された各種データの読出等を実行する。
【０１３４】
宛先リスト管理部５８は、前述した図７（ｂ）に示されるような宛先リスト管理テーブル７０２を、宛先リスト管理ＤＢ５００４に記憶して管理する手段であり、例えば、図５のＣＰＵ２０１で実行されるプログラムによって実現される。宛先リスト管理部５８は、要求元識別情報毎に、会議（通信セッション）の宛先として１つ以上の端末１０の情報（宛先識別情報）を記憶した宛先リスト管理テーブル（宛先リスト）７０２を管理する。
【０１３５】
参加判定部５９は、送受信部５１が所定の端末から確立中セッションへの参加要求を受信した場合に、確立中セッションに対応する参加認証情報を参照し、参加要求情報の送信元の端末である参加要求端末の、確立中セッションへの参加の許否を判断する。なお、参加要求端末が用いる識別情報は、参加要求識別情報である。
【０１３６】
より具体的には、参加判定部５９は、参加要求情報が、参加制限有りが指定された開始要求情報で確立された確立中セッションへの参加の要求である場合には、セッションの開始要求を行った開始要求端末から受信した参加認証情報と参加要求端末から受信した参加認証情報とを比較する。そして、参加判定部５９は、比較に基づいて、参加要求端末の確立中セッションへの参加を許可、または、参加要求端末に対して、参加認証情報の要求を行う。すなわち、参加判定部５９は、開始要求端末から受信した参加認証情報と参加要求端末から受信した参加認証情報の両者が一致する場合には、参加要求端末の確立中セッションへの参加を許可する。また、参加判定部５９は、参加要求情報が、参加制限なしが指定された開始要求情報で確立された確立中セッションへの参加の要求である場合にも、参加要求端末の確立中セッションへの参加を許可する。
【０１３７】
また、参加判定部５９は、開始要求端末から受信した参加認証情報と参加要求端末から受信した参加認証情報が一致しない場合には、直ちに、参加要求端末の確立中セッションへの参加を拒否せずに、参加要求端末に、参加認証情報の再入力の要求を行う。そして、参加判定部５９は、開始要求端末から受信した参加認証情報と参加要求端末から受信した参加認証情報が一致しない不一致回数が、所定の上限値に達した場合に、当該参加要求端末の確立中セッションへの参加を拒否する。
【０１３８】
送信先判定部６０は、端末１０から送信された開始要求情報等に基づき、開始要求情報を要求先端末へ転送するか否かを判定する。
【０１３９】
次に、中継装置３０について説明する。
【０１４０】
中継装置３０は、複数の端末間で開催されるテレビ会議において、端末間で行われるコンテンツデータの送受信を中継する。例えば、中継装置３０は、管理装置５０から通知されるセッションＩＤに基づいて、同じセッションＩＤを有する端末１０を、同じセッションに参加させる。これにより、同じセッションＩＤを有する端末１０間で、中継装置３０を介して、コンテンツデータの送受信を行うことができるようになる。
【０１４１】
続いて、伝送システム（通信システム）１による通信処理の流れについて説明する。
【０１４２】
図９は、一実施形態に係る準備段階の処理の例を示すシーケンス図である。この処理は、伝送システム１において、端末１０ａａが、テレビ会議に参加可能な準備状態になるまでの準備段階の処理の例を示している。
【０１４３】
なお、図９において、例えば、図２で説明した管理情報用セッションｓｅｉを用いて、各情報の送受信が行われるものとする。また、図９において、端末１０ａａの識別情報が「０１ａａ」、端末１０ｂａの識別情報が「０１ｂａ」、端末１０ｄｂの識別情報が「０１ｄｂ」であるものとして、以下の説明を行う。
【０１４４】
端末１０ａａは、端末１０ａａの利用者が、端末１０ａａの電源スイッチ１０９をオンにすると、操作入力受付部１２が電源オンを受け付けて、端末１０ａａの電源をオンに制御する（ステップＳ２１）。
【０１４５】
次に、端末１０ａａの通信制御部１３は、電源オンの受付を契機として、端末１０ａａの送受信部１１から通信ネットワーク２を介して管理装置５０にログインを要求するログイン要求情報を送信する（ステップＳ２２）。このログイン要求情報には、ログイン要求元の端末１０ａａを識別するための要求元識別情報及びパスワードが含まれている。この要求元識別情報及びパスワードは、記憶・読出部２２を介して、記憶部１０００から読み出される。
【０１４６】
なお、端末１０ａａから送信されたログイン要求情報が管理装置５０に受信されたときには、管理装置５０は、送信側である端末１０ａａのＩＰアドレスを把握することができる。
【０１４７】
次に、管理装置５０の認証部５２は、送受信部５１を介して受信したログイン要求情報に含まれている識別情報及びパスワードを検索キーとして、端末認証を行う（ステップＳ２３）。認証部５２は、記憶部５０００の認証管理ＤＢ５００２に含まれる認証管理テーブル７０１を検索し、認証管理ＤＢ５００２に検索キーと同一の識別情報及びパスワードが管理されているかを判断することによって端末認証を行う。
【０１４８】
ここで、検索キーと同一の識別情報及びパスワードが管理されていないと判断された場合、認証部５２は、正当な利用権限を有する端末１０からのログイン要求でないと判断されたとする。このとき、送受信部５１は、認証部５２によって得られた認証結果を表す認証結果情報をログイン要求してきた端末１０ａａに通信ネットワーク２を介して送信し、準備段階の動作は終了する。
【０１４９】
一方、検索キーと同一の識別情報及びパスワードが管理されていると判断された場合、認証部５２は、正当な利用権限を有する端末１０からのログイン要求であると判断されたとする。このとき、端末管理部５３は、端末管理ＤＢ５００３含まれる端末管理テーブル８０１に、端末１０ａａの識別情報、端末１０ａａのＩＰアドレス、稼働状態、受信日時などを関連付けて記憶する（ステップＳ２４）。
【０１５０】
これにより、端末管理テーブル８０１は、識別情報「０１ａａ」、端末１０ａａのＩＰアドレス「１．２．１．３」、稼働状態「オンライン（通信中）」、受信日時「２０ｘｘ．１１．１０  １３：４０（年／月／日  時間）」を関連付けて管理することができる。なお、端末管理テーブル８０１には、識別情報、ＩＰアドレスなどが予め関連付けられており、稼働状態、受信日時及び参加者がその都度関連付けられるようにしても良い。
【０１５１】
次に、管理装置５０の送受信部５１は、認証部５２によって得られた認証結果を表す認証結果情報をログイン要求してきた端末１０ａａに通信ネットワーク２を介して送信する（ステップＳ２５）。
【０１５２】
次に、管理装置５０の端末抽出部５４は、端末１０ａａの識別情報「０１ａａ」を検索キーとして、宛先リスト管理ＤＢ５００４に含まれる宛先リスト管理テーブル７０２を検索し、端末１０ａａに対応する宛先識別情報を抽出する（ステップＳ２６）。
【０１５３】
ここでは、端末１０ａａの識別情報「０１ａａ」に対応する宛先識別情報を用いた端末１０ａｂ、１０ｂａ、１０ｄｂ、１０ｄｃ、１０ｃａ、１０ｃｂのそれぞれの識別情報「０１ａｂ」、「０１ｂａ」、「０１ｄｂ」、「０１ｄｃ」、「０１ｃａ」、「０１ｃｂ」が抽出される。
【０１５４】
続いて、管理装置５０の端末状態取得部５５は、端末抽出部５４によって抽出された宛先識別情報「０１ａｂ」、「０１ｂａ」、「０１ｄｂ」、「０１ｄｃ」、「０１ｃａ」、「０１ｃｂ」を検索キーとし、端末状態取得部５５により、検索キーを用いて端末管理ＤＢ５００３に含まれる端末管理テーブル８０１を検索する（ステップＳ２７）。そして、端末状態取得部５５は、端末抽出部５４によって抽出された宛先識別情報毎に、対応する稼働状態「オフライン」、「オンライン（通信可能）」、「オンライン（通信中）」を読み出す。これにより、端末１０ａｂ、１０ｂａ、１０ｄｂ、１０ｄｃ、１０ｃａ、１０ｃｂの各稼働状態が取得できる。なお、端末状態取得部５５は、端末管理ＤＢ５００３を監視し、端末の稼働状態が変わる度に、各稼働状態を取得する。
【０１５５】
次に、管理装置５０の送受信部５１は、通信ネットワーク２を介して端末１０ａａに宛先状態情報を送信する（ステップＳ２８）。この宛先状態情報には、例えば、ステップＳ２７で使用された検索キーとしての宛先識別情報「０１ａｂ」、「０１ｂａ」、「０１ｄｂ」、「０１ｄｃ」、「０１ｃａ」、「０１ｃｂ」、各宛先識別情報と対応する稼働状態を示す状態情報等が含まれる。
【０１５６】
これにより、端末１０ａａは、宛先端末１０ａｂ、１０ｂａ、１０ｄｂ、１０ｄｃ、１０ｃａ、１０ｃｂの現時点のそれぞれの稼働状態「オフライン」、「オンライン（通信可能）」、「オンライン（通信中）」を把握することができる。
【０１５７】
次に、管理装置５０の端末抽出部５４は、ログイン要求してきた端末１０ａａの識別情報「０１ａａ」を検索キーとし、端末抽出部５４により、検索キーを用いて宛先リスト管理ＤＢ５００４に含まれる宛先リスト管理テーブル７０２を検索する（ステップＳ２９）。そして、端末抽出部５４は、端末１０ａａの識別情報「０１ａａ」を宛先識別情報として登録している他の端末の要求元識別情報を抽出する。例えば、図７（ｂ）に示した宛先リスト管理テーブルでは、抽出される要求元識別情報は、「０１ａｂ」、「０１ｂａ」、「０１ｄｂ」である。
【０１５８】
続いて、管理装置５０の端末管理部５３は、ログイン要求してきた端末１０ａａの識別情報「０１ａａ」を検索キーとし、端末管理部５３により、検索キーを用いて端末管理ＤＢ５００３に含まれる端末管理テーブル８０１を検索する（ステップＳ３０）。そして、端末管理部５３は、ログイン要求してきた端末１０ａａの稼働状態「オンライン（通信可能）」を取得する。
【０１５９】
次に、管理装置５０の送受信部５１は、ステップＳ２９で抽出された要求元識別情報のうち、例えば、図８（ａ）に示す端末管理テーブル８０１で、稼働状態がオンラインとなっている識別情報を特定する。また、送受信部５１は、特定された識別情報に対応する端末１０（例えば、端末１０ｂａ、端末１０ｄｂ）に、要求元端末（端末１０ａａ）の識別情報と、稼働状態「オンライン（通信可能）」とを含む状態情報を送信する（ステップＳ３１−１、３１−２）。
【０１６０】
なお、端末１０ｂａ、１０ｄｂに状態情報を送信するときには、送受信部５１は、各識別情報「０１ｂａ」、「０１ｄｂ」に基づいて、端末管理テーブル８０１で管理されている各端末のＩＰアドレスを参照する。
【０１６１】
これにより、端末１０ｄｂ、１０ｂａに、ログイン要求してきた端末１０ａａの識別情報「０１ａａ」及び稼働状態「オンライン（通信中）」を伝えることができる。端末１０ｄｂ、１０ｂａは、ログイン要求してきた端末１０ａａを宛先端末として指定して伝送することができる
【０１６２】
また、本実施形態の端末１０ａａは、ステップＳ２８が完了した際に、作成部１８によって宛先リスト１００２が作成され、記憶部１０００に格納される。
【０１６３】
宛先リスト１００２は、情報の項目として、識別情報と、識別情報を用いる端末の端末名と、端末の稼働状態とを含み、識別情報毎に、端末名と稼働状態とを対応付けた状態で、記憶部１０００に保持される。
【０１６４】
作成された宛先リストは、例えば、端末１０ａａの表示制御部１７により、ディスプレイ１２０に表示される。図１０は、宛先リストが表示された画面の例を示す図である。
【０１６５】
図１０に示す画面１１００に表示された宛先リスト１００２には、宛先端末を選択するための複数の選択ボタン１３１１が表示されている。また、各選択ボタン１３１１には、状態情報を反映させたアイコン１３１２ａ〜１３１２ｃ、宛先識別情報１３１３、端末名１３１４等が含まれる。
【０１６６】
アイコンには、例えば、オンラインで通信可能であることを示す通信可能アイコン１３１２ａ、オンラインで通信中であることを示す通信中アイコン１３１２ｂ、及びオフラインで通信できないことを示すオフラインアイコン１３１２ｃ等がある。
【０１６７】
作成部１８は宛先端末の稼働状態が「オンライン（通信可能）」である場合には、この宛先端末に対し、通信可能アイコン１３１２ａを割り当てる。また、作成部１８は、宛先端末の稼働状態が「オンライン（通信中）」である場合には、この宛先端末に対し、通信中アイコン１３１２ｂを割り当てる。さらに、作成部１８は、宛先端末の稼働状態が「オフライン」である場合には、この宛先端末に対し、オフラインアイコン１３１２ｃを割り当てる。
【０１６８】
ここで、本願では、端末１０ａａの利用者が、宛先リスト１００２に含まれる宛先端末の中から、所望の宛先端末を選択する過程について考える。
【０１６９】
この過程では、端末１０ａａの利用者は、宛先リスト１００２に目を通しながら、所望の宛先端末を探す必要がある。このような場合、宛先リスト１００２に含まれる宛先端末の数が増える程、所望の宛先端末を見つけるための時間と労力が必要となる。また、所望の要求先端末が宛先リスト１００２に含まれていない可能性もある。
【０１７０】
さらに、参加者が制限した会議を開催する場合には、宛先リスト１００２から所望の宛先端末を見つけた上で、参加制限が設けられた会議への参加資格を示す情報を送信することになり、操作がさらに煩雑になる。
【０１７１】
そこで、本実施形態では、要求元端末において、要求先識別情報及び参加制限が設けられた会議への参加認証情報の入力を受け付け、これを管理装置５０へ送信し、要求元端末は、要求先識別情報を用いた端末の状態に応じた応答を得るものとした。本実施形態では、これにより、参加が制限されたセッション（会議）へ参加する操作を簡略化する。
【０１７２】
以下に、本実施形態の端末１０の動作について説明する。図１１は、第一の実施形態の端末の動作を説明するフローチャートである。
【０１７３】
図１１では、端末１０に対し、要求先識別情報及び参加認証情報が入力され、新たな参加制限付きのセッションが開始される際の端末１０の動作を示している。言い換えれば、図１１は、端末１０の利用者が、参加制限付きの会議を開始する場合の端末１０の動作を示している。
【０１７４】
なお、本実施形態における参加制限付きのセッション（会議）とは、参加認証情報が入力された端末１０のみが参加可能なセッション（会議）である。言い換えれば、参加制限付きのセッションとは、参加資格として、参加認証情報の入力が求められるセッションである。以下の実施形態の説明では、参加認証情報をＰＩＮコードとして説明する。
【０１７５】
本実施形態の端末１０は、操作入力受付部１２により、要求先識別情報と、ＰＩＮコードの入力を受け付ける（ステップＳ１１０１）。
【０１７６】
続いて、端末１０は、要求生成部２３により、入力された要求先識別情報が自機の識別情報
であるか否かを判定する（ステップＳ１１０２）。ステップＳ１１０２において、入力された要求先識別情報が自機の識別情報であった場合、端末１０は、後述するステップＳ１１０８へ進む。
【０１７７】
ステップＳ１１０２において、入力された要求先識別情報が自機の識別情報でない場合、要求生成部２３は、作成部１８により作成された宛先リストに、入力された要求先識別情報が存在するか否かを判定する（ステップＳ１１０３）。ステップＳ１１０３において、該当する要求先識別情報が宛先リストに存在しない場合、要求生成部２３は、後述するステップＳ１１０９へ進む。
【０１７８】
ステップＳ１１０３において、該当する要求先識別情報が宛先リストに存在する場合、要求生成部２３は、宛先リストを参照し、該当する要求先識別情報（識別情報）と対応する稼働状態がオフラインであるか否かを判定する（ステップＳ１１０４）。
【０１７９】
ステップＳ１１０４において、オフラインである場合、要求生成部２３は、後述するステップＳ１１１３へ進む。
【０１８０】
ステップＳ１１０４において、オフラインでない場合、つまり、オンラインである場合、要求生成部２３は、該当する要求先識別情報と対応する稼働状態が、通信中であるか否かを判定する（ステップＳ１１０５）。言い換えれば、要求生成部２３は、該当する要求先端末が会議中か否かを判定している。
【０１８１】
ステップＳ１１０５において、通信中である場合、要求生成部２３は、後述するステップＳ１１１５へ進む。
【０１８２】
ステップＳ１１０５において、通信中でない場合、要求生成部２３は、送信先を管理装置５０とした開始要求情報（第一の開始要求情報）を生成し、管理装置５０へ送信する（ステップＳ１１０６）。続いて、端末１０は、表示制御部１７により、発信中であることを示すダイヤログボックスをディスプレイ１２０に表示させ（ステップＳ１１０７）、処理を終了する。
【０１８３】
ステップＳ１１０２において、入力された要求先識別情報が自機の識別情報であった場合、端末１０は、表示制御部１７により、自機の識別情報が入力されたことを示すエラーメッセージを含むダイヤログボックスをディスプレイ１２０に表示させ（ステップＳ１１０８）、処理を終了する。
【０１８４】
ステップＳ１１０３において、入力された要求先識別情報が宛先リストに存在しない場合、要求生成部２３は、管理装置５０に対して入力された要求先識別情報を通知し、端末管理データベース５００３に該当する要求先識別情報が存在する否かの判定結果を取得する（ステップＳ１１０９）。
【０１８５】
ステップＳ１１０９において、該当する要求先識別情報が端末管理データベース５００３に存在しない場合、表示制御部１７は、システム上存在しない識別情報であることを示すエラーメッセージを含むダイヤログボックスをディスプレイ１２０に表示させ（ステップＳ１１１０）、処理を終了する。
【０１８６】
ステップＳ１１０９において、該当する要求先識別情報が端末管理データベース５００３に存在する場合、要求生成部２３は、送信先を要求先端末とした開始要求情報（第二の開始要求情報）を生成し、管理装置５０へ送信する（ステップＳ１１１１）。続いて、端末１０は、表示制御部１７により、指定した要求先端末と接続中であることを示すダイヤログボックスをディスプレイ１２０に表示させ（ステップＳ１１１２）、処理を終了する。
【０１８７】
ステップＳ１１０４において、入力された要求先識別情報と対応する稼働状態がオフラインであった場合、端末１０は、表示制御部１７により、要求先端末がオフラインであることを示すダイヤログボックスをディスプレイ１２０に表示させ（ステップＳ１１１３）、処理を終了する。
【０１８８】
ステップＳ１１０５において、入力された要求先識別情報と対応する稼働状態が通信中であった場合、端末１０は、要求生成部２３により、送信先が管理装置５０とした開始要求情報（第一の開始要求情報）を生成し、管理装置５０へ送信する（ステップＳ１１１４）。続いて、端末１０は、表示制御部１７により、会議準備画面をディスプレイ１２０に表示させ（ステップＳ１１１５）、処理を終了する。
【０１８９】
ここで、本実施形態の要求生成部２３により生成される開始要求情報について説明する。図１２は、開始要求情報について説明する図である。図１２（Ａ）は、送信先を管理装置５０とした第一の開始要求情報の一例を示し、図１２（Ｂ）は、送信先を要求先端末とした第二の開始要求情報の一例を示す。
【０１９０】
図１２（Ａ）に示す開始要求情報１２１は、送信先１２１−１、メッセージ１２１−２、参加認証情報１２１−３を含む。
【０１９１】
送信先１２１−１は、例えば管理装置５０のＩＰアドレスである。なお、送信先１２１−１は、管理装置５０のＩＰアドレスでなくても良く、管理装置５０を特定するための情報であれば良い。
【０１９２】
メッセージ１２１−２は、要求元識別情報、宛先端末に対する呼制御の実行要求、宛先識別情報が含まれる。言い換えれば、メッセージ１２１−２は、宛先端末に対する要求元端末との通信の実行要求である。参加認証情報１２１−３は、例えば入力されたＰＩＮコードである。
【０１９３】
図１２（Ｂ）に示す開始要求情報１２２は、送信先１２２−１、メッセージ１２２−２、参加認証情報１２２−３を含む。
【０１９４】
送信先１２２−１は、要求元端末である端末１０において入力された要求先識別情報である。なお、送信先１２２−１は、要求先識別情報でなくても良く、要求先識別情報を用いた端末を特定するための情報であれば良い。
【０１９５】
メッセージ１２２−２は、要求元識別情報、要求先端末に対する呼制御の実行要求、要求先識別情報が含まれる。言い換えれば、メッセージ１２２−２は、要求先端末に対する要求元端末との通信の実行要求である。参加認証情報１２２−３は、例えば入力されたＰＩＮコードである。
【０１９６】
本実施形態では、開始要求情報を受信した管理装置５０は、開始要求情報において送信先として特定される装置に対してメッセージと参加認証情報を送信する。
【０１９７】
例えば、開始要求情報１２１では、送信先１２１−１は自機（管理装置５０）を特定している。よって、管理装置５０は、送信先判定部６０により、開始要求情報１２１に含まれるメッセージ１２１−２と参加認証情報１２１−３の送信先は自機であるものと判定し、自機によってメッセージの解釈を行う。
【０１９８】
また、開始要求情報１２２では、送信先１２２−１は要求先端末を特定している。よって、管理装置５０は、送信先判定部６０により、開始要求情報１２２に含まれるメッセージ１２２−２と参加認証情報１２２−３の送信先は、要求先端末であるものと判定する。そして、管理装置５０は、メッセージ１２２−２と参加認証情報１２２−３とを要求先端末へ転送する。
【０１９９】
このように、本実施形態の端末１０では、入力された要求先識別情報と参加認証情報を、１つの開始要求情報とすることができる。よって、本実施形態では、参加が制限されたセッションの参加の操作を、識別情報とＰＩＮコードを入力して発信指示を行うだけにできる。
【０２００】
また、本実施形態では、呼制御の実行要求を含むメッセージの送信先を、宛先リストにおける要求先識別情報の有無に応じて、決定することができる。より具体的には、本実施形態の開始要求情報は、要求先識別情報が宛先リストに存在しない場合には、送信先が示す要求先端末に対するメッセージの転送要求として機能する。
【０２０１】
なお、端末１０で生成される開始要求情報は、図１２の例に限定されない。開始要求情報には、図１２に示す情報以外の情報が含まれても良い。
【０２０２】
次に、図１３及び図１４を参照して、本実施形態の伝送システム１の動作を説明する。図１３は、第一の実施形態の伝送システムの動作を示す第一のシーケンス図である。
【０２０３】
図１３では、端末１０において入力された識別情報が、宛先リストに存在した場合の伝送システム１の動作を示している。
【０２０４】
また、図１３では、端末１０ａａから、端末１０ｄｂに対してテレビ会議等の通信の開始を要求し、コンテンツデータ（画像データ、音データ等）を通信する際の動作を示している。なお、図１３では、図２に示されている管理情報用セッションｓｅｉによって、各端末１０と管理装置５０との間で各種管理情報が送受信されるものとする。
【０２０５】
端末１０ａａは、操作入力受付部１２により、利用者による要求先端末（端末１０ｄｂ）の識別情報（要求先識別情報）と、参加認証情報（ＰＩＮコード）の入力操作を受け付ける（ステップＳ１３０１）。
【０２０６】
続いて、端末１０ａａは、要求生成部２３により、開始要求情報を生成し、管理装置５０へ送信する（ステップＳ１３０２）。ここでは、端末１０ｄｂの識別情報は、宛先リスト１００２に存在しているため、要求生成部２３は、送信先が管理装置５０である開始要求情報１２１を生成し、送信する。
【０２０７】
管理装置５０は、開始要求情報を受信すると、送信先判定部６０により、開始要求情報に含まれる送信先が、自機であるか否かを判定する（ステップＳ１３０３）。ここでは、開始要求情報に含まれる送信先は、管理装置５０であるため、管理装置５０は、開始要求情報に含まれるメッセージの解釈を行う。
【０２０８】
続いて、管理装置５０は、端末管理部５３により、開始要求情報に含まれる要求元識別情報に基づいて、端末管理ＤＢ５００３に含まれる端末管理テーブル８０１を更新する（ステップＳ１３０４）。例えば、端末管理部５３は、端末１０ａａの識別情報「０１ａａ」（要求元識別情報）に対応する稼働状態の情報を「オンライン（通信中）」に変更し、受信日時の情報を更新する。
【０２０９】
続いて、管理装置５０は、セッション管理部５６により、宛先端末である端末１０ｄｂに対し、セッションの開始を要求する開始要求情報を送信する（ステップＳ１３０５）。この開始要求情報には、例えば、要求元端末である端末１０ａａの要求元識別情報と、参加認証情報等が含まれる。
【０２１０】
管理装置５０から開始要求情報を受信した端末１０ｄｂは、例えば、端末１０ｄｂの利用者による応答操作を受け付け（ステップＳ１３０６）、応答生成部２４により受信完了情報を生成し、管理装置５０へ送信する（ステップＳ１３０７）。
【０２１１】
この受信完了情報には、例えば、端末１０ｄｂの識別情報である宛先識別情報が含まれる。なお、受信完了情報は、端末１０ｄｂによって自動的に送信されるもの等であっても良い。
【０２１２】
続いて、管理装置５０は、端末１０ｄｂから受信完了情報を受信すると、端末管理部５３により、受信完了情報に含まれる端末１０ｄｂの識別情報に基づいて、端末管理ＤＢ５００３に含まれる端末管理テーブル８０１を更新する（ステップＳ１３０８）。例えば、端末管理部５３は、端末１０ｄｂの識別情報「０１ｄｂ」に対応する稼働状態の情報を「オンライン（通信中）」に変更し、受信日時の情報を更新する。
【０２１３】
次に、管理装置５０は、セッション管理部５６により、通信セッションを識別するための識別情報であるセッションＩＤを作成する。また、セッション管理部５６は、作成されたセッションＩＤに対応付けて、中継装置３０の中継装置ＩＤ、要求元識別情報、及び宛先識別情報を、セッション管理ＤＢ５００５に含まれるセッション管理テーブル８０２に記憶する（ステップＳ１３０９）。
【０２１４】
続いて、管理装置５０は、セッション管理部５６により、中継装置３０に、通信セッションの中継の開始を要求する中継開始要求情報を送信する（ステップＳ１３１０）。この中継開始要求情報には、例えば、ステップＳ１３０９で作成されたセッションＩＤ、及び要求元端末のＩＰアドレス、宛先端末のＩＰアドレス等が含まれる。
【０２１５】
次に、管理装置５０は、セッション管理部５６により、端末１０ａａ、１０ｄｂにセッションの開始を指示する開始指示情報を送信する（ステップＳ１３１１、１３１２）。この開始指示情報には、例えば、ステップＳ１３０９で作成されたセッションＩＤ、及び中継装置３０のＩＰアドレス、プライベートフラグ等が含まれる。
【０２１６】
プライベートフラグとは、ステップＳ１３０９で作成されたセッションＩＤが示すセッションが、参加制限付きのセッションであることを示す情報である。したがって、ステップＳ１３１１、１３１２において、端末１０ａａ、１０ｄｂは、参加制限付きのセッションの開始指示情報を受信したことになる。
【０２１７】
次に、端末１０ａａは、通信制御部１３により、管理装置５０から受信した開始指示情報を用いて、中継装置３０と通信セッション（セッションｓｅｄ）を確立する（ステップＳ１３１３）。
【０２１８】
同様に、端末１０ｄｂは、通信制御部１３により、管理装置５０から受信した開始指示情報を用いて、中継装置３０と通信セッション（セッションｓｅｄ）を確立する（ステップＳ１３１４）。
【０２１９】
上記の処理により、端末１０ａａ、１０ｄｂは、中継装置３０を介して、同じ通信セッションに参加し、コンテンツデータを互いに伝送することができるようになる、すなわち、テレビ会議を行うことができるようになる。
【０２２０】
次に、管理装置５０は、端末管理部５３により、端末１０の状態が変更されたことを通知する端末状態変更情報を、端末管理ＤＢ５００３に登録されている各端末１０に送信する（ステップＳ１３１５、１３１６）。図１３の例では、端末状態変更情報には、端末状態が変更された端末１０ａａ、１０ｄｂの識別情報、及び端末１０ａａ、１０ｄｂの稼働状態を示す状態情報等が含まれる。なお、状態情報には、各端末１０が参加しているセッションのセッションＩＤ等が含まれていても良い。
【０２２１】
図１４は、第一の実施形態の伝送システムの動作を示す第二のシーケンス図である。図１４では、端末１０ａａにおいて入力された識別情報が、宛先リストに存在しない場合の伝送システム１の動作を示している。
【０２２２】
また、図１４では、端末１０ａａから、端末１０ｄｂに対してテレビ会議等の通信の開始を要求し、コンテンツデータ（画像データ、音データ等）を通信する際の動作を示している。
【０２２３】
端末１０ａａは、操作入力受付部１２により、利用者による要求先端末（端末１０ｄｂ）の識別情報（要求先識別情報）と、参加認証情報（ＰＩＮコード）の入力操作を受け付ける（ステップＳ１４０１）。
【０２２４】
続いて、端末１０ａａは、要求生成部２３により、開始要求情報を生成し、管理装置５０へ送信する（ステップＳ１４０２）。ここでは、端末１０ｄｂの識別情報は、宛先リスト１００２に存在しないため、要求生成部２３は、送信先が端末１０ｄｂとなる開始要求情報１２２を生成し、送信する。
【０２２５】
管理装置５０は、開始要求情報を受信すると、送信先判定部６０により、開始要求情報に含まれる送信先が、自機であるか否かを判定する（ステップＳ１４０３）。ここでは、開始要求情報に含まれる送信先は、端末１０ｄｂの識別情報であるため、管理装置５０は、開始要求情報を端末１０ｄｂへ転送する（ステップＳ１４０４）。
【０２２６】
また、管理装置５０は、このとき開始要求情報に含まれるＰＩＮコードを、端末管理テーブル８０１において、端末１０ａａの識別情報（要求元識別情報）と対応付けられた参加認証情報として保持する。
【０２２７】
開始要求情報を受信した端末１０ｄｂは、例えば、端末１０ｄｂの利用者による応答操作を受け付け（ステップＳ１４０５）、応答生成部２４により受信完了情報を生成し、管理装置５０へ送信する（ステップＳ１４０６）。
【０２２８】
この受信完了情報には、例えば、端末１０ｄｂの識別情報である要求先識別情報が含まれる。なお、受信完了情報は、端末１０ｄｂによって自動的に送信されるもの等であっても良い。
【０２２９】
管理装置５０は、受信完了情報を受け付けると、これを端末１０ａａへ転送する（ステップＳ１４０７）。なお、受信完了情報は、管理装置５０を介さなくても良く、直接端末１０ａａに送信されても良い。
【０２３０】
続いて、端末１０ｄｂは、要求生成部２３により、会議（セッション）参加要求情報を生成し、管理装置５０へ送信する（ステップＳ１４０８）。会議参加要求情報には、要求先端末である端末１０ｄｂのＩＰアドレスと、ステップＳ１４０４で受信した開始要求情報に含まれるＰＩＮコードとが含まれる。このとき、管理装置５０は、このとき会議参加要求情報に含まれるＰＩＮコードを、端末管理テーブル８０１において、端末１０ｄｂの識別情報と対応付けられた参加認証情報として保持する。
【０２３１】
管理装置５０は、会議開始要求情報を受け付けると、セッション管理部５６により、通信セッションを識別するための識別情報であるセッションＩＤを作成する（ステップＳ１４０９）。続いて、管理装置５０は、セッション管理部５６により、通信セッションの中継の開始を要求する中継開始要求情報を中継装置３０へ送信する（ステップＳ１４１０）。この中継開始要求情報には、例えば、ステップＳ１４０９で作成されたセッションＩＤ、及び要求先端末である端末１０ｄｂのＩＰアドレスが含まれる。
【０２３２】
中継装置３０は、中継開始要求情報を受信すると管理装置５０に対して開始指示情報を送信する（ステップＳ１４１１）。開始指示情報には、例えばセッションＩＤと、中継装置３０のＩＰアドレスとが含まれる。
【０２３３】
管理装置５０は、中継装置３０から開始指示情報を受けて、要求先端末である端末１０ｄｂに対して開始指示情報を送信する（ステップＳ１４１２）。この開始指示情報には、例えばセッションＩＤと、中継装置３０のＩＰアドレスの他に、要求先端末である端末１０ｂのＩＰアドレスが含まれる。
【０２３４】
端末１０ｄｂは、開始指示情報を受け付けると、要求生成部２３により、会議準備完了情報を生成し、管理装置５０へ送信する（ステップＳ１４１３）。
【０２３５】
本実施形態の会議準備完了情報は、セッションに参加する準備が完了したことを示す情報であり、セッション準備完了情報とも言える。会議準備完了情報は、要求元端末である端末１０ａａの識別情報と、要求先端末である端末１０ｄｂの識別情報と、セッションＩＤを含む。さらに、会議準備完了情報は、セッションＩＤが示すセッションが、参加制限付きであることを示すプライベートフラグを含む。
【０２３６】
管理装置５０は、会議準備完了情報を受け付けると、会議準備完了情報の送信先である端末１０ａａへ会議準備完了情報を転送する（ステップＳ１４１４）。
【０２３７】
端末１０ａａは、会議準備完了情報を受け付けると、種別判定部２５により、要求先端末において参加の準備が完了した会議が、参加制限付きのセッションであるか否かを判定する（ステップＳ１４１５）。
【０２３８】
具体的には、端末１０ａａは、種別判定部２５により、会議準備完了情報にプライベートフラグが付与されているか否かを判定する。図１４の例では、会議準備完了情報にプライベートフラグが付与されているため、要求先端末において、参加制限付きのセッションに対して、参加の準備が完了したと判断される。
【０２３９】
続いて、端末１０ａａは、要求生成部２３により、会議参加要求情報を生成し、管理装置５０へ送信する（ステップＳ１４１６）。この会議参加要求情報には、セッションＩＤ、要求元端末である端末１０ａａのＩＰアドレス、ＰＩＮコードが含まれる。
【０２４０】
管理装置５０は、会議参加要求情報を受け付けて、セッション管理部５６により、通信セッションの中継の開始を要求する中継開始要求情報を中継装置３０へ送信する（ステップＳ１４１７）。この中継開始要求情報には、例えば、セッションＩＤ及び要求元端末である端末１０ａａのＩＰアドレスが含まれる。
【０２４１】
続いて、端末１０ａａと端末１０ｄｂは、それぞれの通信制御部１３により、中継装置３０と通信セッション（セッションｓｅｄ）を確立する（ステップＳ１４１８）。
【０２４２】
上記の処理により、端末１０ａａ、１０ｄｂは、中継装置３０を介して、参加制限がある通信セッションに参加し、コンテンツデータを互いに伝送することができるようになる、すなわち、テレビ会議を行うことができるようになる。
【０２４３】
次に、管理装置５０は、端末管理部５３により、端末１０の状態が変更されたことを通知する端末状態変更情報を、端末管理ＤＢ５００３に登録されている各端末１０に送信する（ステップＳ１４１９、１４２０）。
【０２４４】
以上のように、本実施形態では、要求元端末となる端末１０は、セッションを開始する際に、要求先識別情報と参加認証情報と、を含む開始要求情報を要求先端末へ送信する。そして、要求元端末となる端末１０は、開始要求情報の応答として、プライベートフラグを含む開始指示情報や会議準備完了情報を受信した場合に、要求先端末と、制限付き会議において通信を確立させる。
【０２４５】
したがって、本実施形態では、参加制限付きのセッションを開催する際に、予め要求先端末の状況等を問い合わせる必要がなく、要求元端末の利用者は、要求先端末の識別情報とＰＩＮコードを入力して管理装置５０への発信指示を行い、その応答を待てば良い。
【０２４６】
よって、本実施形態によれば、制限付きのセッションを開催する場合の操作を簡略化でき、操作性を向上させることができる。
【０２４７】
なお、図１３及び図１４の例では、要求先端末である端末１０ｄｂが参加制限のあるセッションに参加可能な状態で待機している場合を示しているが、要求先端末の状態によっては、参加制限のあるセッションに参加できない場合も存在する。その場合、要求先端末は、自機の状態に応じた応答を要求元端末へ返す。この場合の要求先端末の処理の詳細は後述する。
【０２４８】
次に、図１５及び図１６を参照して、本実施形態の伝送システム１における管理装置５０と要求先端末である端末１０ｄｂの動作について説明する。
【０２４９】
図１５は、第一の実施形態の管理装置の動作を説明するフローチャートである。図１５では、管理装置５０が開始要求情報を受信した際の動作を示している。言い換えれば、図１５は、図１３のステップＳ１３０３又は、図１４のステップＳ１４０３の処理の詳細を示している。
【０２５０】
本実施形態の管理装置５０は、要求元端末から開始要求情報を受信すると（ステップＳ１５０１）、送信先判定部６０により、開始要求情報に含まれる送信先が要求先識別情報であるか否かを判定する（ステップＳ１５０２）。
【０２５１】
ステップＳ１５０２において、送信先が要求先識別情報である場合、管理装置５０は、開始要求情報を送信先が示す要求先端末へ転送し（ステップＳ１５０３）、処理を終了する。つまり、管理装置５０は、開始要求情報に含まれる送信先を、開始要求情報の送信先への転送要求と捉える。
【０２５２】
ステップＳ１５０２において、送信先が要求先識別情報でない場合、つまり、送信先が管理装置５０のＩＰアドレスである場合、管理装置５０は、開始要求情報に含まれるメッセージの解釈を行う（ステップＳ１５０４）。続いて、管理装置５０は、開始要求情報のメッセージに記述された宛先識別情報を用いた端末（宛先端末）へ、メッセージの内容を通知し（ステップＳ１５０５）、処理を終了する。
【０２５３】
具体的には、管理装置５０は、開始要求情報のメッセージに記述された呼制御の実行要求を、メッセージに記述された宛先端末へ通知する。
【０２５４】
次に、図１６を参照して、本実施形態の要求先端末の動作を説明する。図１６は、第一の実施形態の要求先端末の動作を示すフローチャートである。
【０２５５】
図１６では、要求先端末を端末１０ｄｂとして、説明する。また、図１６では、端末１０ｄｂの識別情報が宛先リストに存在せず、要求元端末１０ａａにおいて、端末１０ｄｂの識別情報を送信先とする開始要求情報が生成された場合の端末１０ｄｂの処理を示す。
【０２５６】
端末１０ｄｂは、自機の識別情報（要求先識別情報）が指定され、ＰＩＮコードが付与された開始要求情報の着信を受けると（ステップＳ１６０１）、自機が待機中であるか否かを判定する（ステップＳ１６０２）。なお、待機中とは、通信が可能な状態であり、且つ通信中ではない状態を示す。ステップＳ１６０２において、待機中でない場合、後述するステップＳ１６０６へ進む。
【０２５７】
ステップＳ１６０２において、待機中である場合、端末１０ｄｂは、要求生成部２３により、受け取ったＰＩＮコードを含む会議参加要求情報を生成し、管理装置５０へ送信する（ステップＳ１６０３）。
【０２５８】
続いて、端末１０ｄｂは、表示制御部１７により、会議準備画面を表示させる（ステップＳ１６０４）。続いて、端末１０ｄｂは、要求生成部２３により、プライベートフラグを含む会議準備完了情報を生成して管理装置５０へ送信し（ステップＳ１６０５）、処理を終了する。
【０２５９】
ステップＳ１６０２において、待機中でない場合、端末１０ｄｂは、自機が会議中であるか否かを判定する（ステップＳ１６０６）。言い換えれば、端末１０ｄｂは、自機が他の端末１０と通信中であるか否かを判定する。
【０２６０】
ステップＳ１６０６において、会議中でない場合、つまり、通信中でない場合、端末１０ｄｂは、オフラインであることを示すため、端末１０ｄｂは処理を終了する。なお、ステップＳ１６０６において、端末１０ｄｂがオフラインであった場合、管理装置５０は、要求元端末である端末１０ａａに対して、端末１０ｄｂがオフラインであることを通知しても良い。
【０２６１】
ステップＳ１６０６において、会議中である場合、つまり、端末１０ｄｂが通信中である場合、端末１０ｄｂは、自機が参加している会議が参加制限のある会議であるか否かを判定する（ステップＳ１６０７）。
【０２６２】
ステップＳ１６０７において、参加制限のある会議の場合、端末１０ｄｂは、要求生成部２３により、プライベートフラグを含む会議準備完了情報を生成して管理装置５０へ送信し（ステップＳ１６０８）、処理を終了する。
【０２６３】
ステップＳ１６０８で生成される会議準備完了情報は、端末１０ｄｂが参加制限のある会議に参加していることのみを示す。よって、ここで生成される会議準備完了情報が示す参加制限付きの会議は、ステップＳ１６０１で受信した開始要求情報が示す会議とは異なる会議の場合もある。
【０２６４】
本実施形態では、例えば管理装置５０は、ステップＳ１６０８で生成された会議準備完了情報を受信した後に、ＰＩＮコードの入力を端末１０ｄｂに要求しても良い。そして、管理装置５０は、端末１０ｄｂで入力されたＰＩＮコードがステップＳ１６０１で受信したＰＩＮコードと一致した場合に、端末１０ａａと端末１０ｄｂのセッションを確立させても良い。
【０２６５】
また、管理装置５０は、端末１０ｄｂで入力されたＰＩＮコードがステップＳ１６０１で受信したＰＩＮコードと一致しない場合に、端末１０ａａに対して、端末１０ｄｂが他の参加制限付きの会議に参加していることを通知しても良い。
【０２６６】
ステップＳ１６０７において、参加制限のない会議の場合、端末１０ｄｂは、要求生成部２３により、プライベートフラグが含まれていない会議準備完了情報を生成して管理装置５０へ送信し（ステップＳ１６０９）、処理を終了する。
【０２６７】
この場合、管理装置５０は、要求元端末である端末１０ａａに対し、端末１０ｄｂが参加制限のなされていない他の会議に参加していることを通知しても良い。
【０２６８】
このように、本実施形態によれば、参加制限を設けた会議を開催する際に、要求元端末において要求先端末の識別情報とＰＩＮコードを入力し、開始要求情報の発信を指示するだけで、要求先端末の状態に応じて会議への参加の可否を含む応答を得ることができる。したがって、本実施形態によれば、要求先端末の状態を確認する操作を省くことができ、操作を簡略化できる。
【０２６９】
次に、図１７乃至図２４を参照し、ディスプレイ１２０に表示される画面の例について説明する。
【０２７０】
図１７は、識別情報の入力画面の一例を示す図である。図１７に示す画面１１００−１には、要求先識別情報を用いた端末の識別情報の入力欄を含むダイヤログボックス１７０１が表示されている。
【０２７１】
ダイヤログボックス１７０１には、入力欄１７０２、ソフトウェアキーボード１７０３、ボタン１７０４、１７０５が表示されている。
【０２７２】
入力欄１７０２は、要求先端末の識別情報が入力される。ソフトウェアキーボード１７０３は、識別情報の入力に用いられる。ボタン１７０４は、参加認証情報を付与して発信指示を行うためにボタンである。ボタン１７０５は、参加認証情報を付与せずに発信指示を行うためのボタンである。
【０２７３】
ボタン１７０４が操作されると、ディスプレイ１２０には、後述する画面１１００−２が表示される。ボタン１７０５が操作されると、要求元端末は、参加制限を設けていない会議の開始要求情報を生成し、管理装置５０へ送信する。
【０２７４】
図１８は、参加認証情報の入力画面の一例を示す図である。図１８に示す画面１１００−２には、参加認証情報の入力欄を含むダイヤログボックス１８０１が表示されている。
【０２７５】
ダイヤログボックス１８０１には、入力欄１８０２と、テンキー１８０３と、ボタン１８０４とが表示されている。
【０２７６】
入力欄１８０２は、参加認証情報であるＰＩＮコードが入力される。テンキー１８０３は、ＰＩＮコードの入力に用いられる。ボタン１８０４は、ＰＩＮコードの入力の完了を示す。
【０２７７】
端末１０では、画面１１００−２において、ボタン１８０４が操作されると、画面１１００−１に画面が遷移し、参加制限付きの発信指示を行うボタン１７０４が表示されたダイヤログボックス１７０１が表示されても良い。
【０２７８】
図１９は、管理装置への発信を通知する画面の一例を示す図である。図１９に示す画面１１００−３は、ダイヤログボックス１９０１が表示されている。ダイヤログボックス１９０１は、図１１のステップＳ１１０７で表示されるダイヤログボックスである。
【０２７９】
ダイヤログボックス１９０１には、表示欄１９０２、１９０３と、ボタン１９０４とが表示されている。
【０２８０】
表示欄１９０２には、ＰＩＮコードが付与された開始要求情報が管理装置５０へ送信されたことを示すメッセージが表示されている。また、表示欄１９０３には、入力欄１７０２に入力された要求先端末の識別情報と、識別情報により特定される要求先端末の名称が表示されている。
【０２８１】
ボタン１９０４は、管理装置５０への発信を中止させるためのボタンである。端末１０は、ボタン１９０４が操作されると、管理装置５０への発信を中止する。
【０２８２】
図２０は、エラーメッセージが表示された画面の一例を示す第一の図である。図２０に示す画面１１００−４は、ダイヤログボックス２００１が表示されている。ダイヤログボックス２００１は、図１１のステップＳ１１０８で表示されるダイヤログボックスである。
【０２８３】
ダイヤログボックス２００１は、メッセージ２００２とボタン２００３が表示されている。
【０２８４】
メッセージ２００２は、入力欄１７０２に入力された要求先端末の識別情報が自機の識別情報であるために、発信できないことを示すエラーメッセージである。
【０２８５】
ボタン２００３は、画面１１００−４を画面１１００−１等へ遷移させるためのボタンである。端末１０は、ボタン２００３が操作されると、ダイヤログボックス２００１を画面１１００−４から消去し、画面１１００−４を図１０に示す画面１１００へ遷移させても良い。また、端末１０は、ボタン２００３が操作されると、ダイヤログボックス２００１を画面１１００−４から消去し、画面１１００−４をダイヤログボックス１７０１が表示された画面１１００−１へ遷移させても良い。
【０２８６】
図２１は、エラーメッセージが表示された画面の一例を示す第二の図である。図２１に示す画面１１００−５は、ダイヤログボックス２１０１が表示されている。ダイヤログボックス２１０１は、図１１のステップＳ１１１０で表示されるダイヤログボックスである。
【０２８７】
ダイヤログボックス２１０１は、メッセージ２１０２と表示欄２１０３と、ボタン２１０４が表示されている。
【０２８８】
メッセージ２１０２は、入力欄１７０２に入力された要求先端末の識別情報が、端末管理データベース５００３に存在せず、発信できないことを示すエラーメッセージである。表示欄２１０３は、入力欄１７０２に入力された識別情報が表示されている。
【０２８９】
ボタン２１０４は、画面１１００−５を画面１１００−１等へ遷移させるためのボタンである。端末１０は、ボタン２１０４が操作されると、ダイヤログボックス２１０１を画面１１００−５から消去し、画面１１００−５を図１０に示す画面１１００へ遷移させても良い。また、端末１０は、ボタン２１０４が操作されると、ダイヤログボックス２１０１を画面１１００−５から消去し、画面１１００−５をダイヤログボックス１７０１が表示された画面１１００−１へ遷移させても良い。
【０２９０】
図２２は、エラーメッセージが表示された画面の一例を示す第三の図である。図２２に示す画面１１００−６は、ダイヤログボックス２２０１が表示されている。ダイヤログボックス２２０１は、図１１のステップＳ１１１３で表示されるダイヤログボックスである。
【０２９１】
ダイヤログボックス２２０１は、メッセージ２２０２と表示欄２２０３と、ボタン２２０４が表示されている。
【０２９２】
メッセージ２２０２は、入力欄１７０２に入力された識別情報で特定される要求先端末がオフラインであり、発信できないことを示すエラーメッセージである。表示欄２２０３は、入力欄１７０２に入力された識別情報と、識別情報により特定される要求先端末の名称とが表示されている。
【０２９３】
ボタン２２０４は、画面１１００−６を画面１１００−１等へ遷移させるためのボタンである。端末１０は、ボタン２２０４が操作されると、ダイヤログボックス２２０１を画面１１００−６から消去し、画面１１００−６を図１０に示す画面１１００へ遷移させても良い。また、端末１０は、ボタン２２０４が操作されると、ダイヤログボックス２２０１を画面１１００−６から消去し、画面１１００−６をダイヤログボックス１７０１が表示された画面１１００−１へ遷移させても良い。
【０２９４】
図２３は、要求先端末への接続を通知する画面の一例を示す図である。図２３に示す画面１１００−７は、ダイヤログボックス２３０１が表示されている。ダイヤログボックス２３０１は、図１１のステップＳ１１１２で表示されるダイヤログボックスである。
【０２９５】
ダイヤログボックス２３０１には、表示欄２３０２、２３０３と、ボタン２３０４とが表示されている。
【０２９６】
表示欄２３０２には、ＰＩＮコードが付与された開始要求情報が管理装置５０を介して識別情報で特定される要求先端末へ送信されたことを示すメッセージが表示されている。また、表示欄２３０３には、入力欄１７０２に入力された識別情報と、識別情報により特定される要求先端末の名称が表示されている。
【０２９７】
ボタン２３０４は、管理装置５０への発信を中止させるためのボタンである。端末１０は、ボタン２３０４が操作されると、要求先端末への接続を中止する。
【０２９８】
図２４は、要求元端末からの着信を通知する画面の一例を示す図である。図２４に示す画面１１００−８は、ダイヤログボックス２４０１が表示されている。ダイヤログボックス２４０１は、端末１０に開始要求情報が着信したときに表示される。
【０２９９】
ダイヤログボックス２４０１には、表示欄２４０２、２４０３と、ボタン２４０４、２４０５とが表示されている。
【０３００】
表示欄２４０２には、ＰＩＮコードが付与された開始要求情報を受信していることを示すメッセージが表示されている。また、表示欄２４０３には、開始要求情報を送信した要求元端末の識別情報が表示されている。
【０３０１】
ボタン２４０４は、着信に対して、応答を拒否するためのボタンである。ボタン２４０５は、着信に対して応答するためのボタンである。
【０３０２】
端末１０では、ボタン２４０４が操作されると、開始要求情報に対する受信完了情報を要求元端末へ送信しない。また、端末１０では、ボタン２４０５が操作されると、開始要求情報に対する受信完了情報が要求元端末に送信される。
【０３０３】
以上のように、本実施形態では、端末１０が要求元端末となったときと、要求先端末となったときのそれぞれにおいて、状況に応じたダイヤログボックスがディスプレイ１２０に表示される。
【０３０４】
（第二の実施形態）
以下に、図面を参照して第二の実施形態について説明する。第二の実施形態では、既に開催されている参加制限付きのセッションに参加する場合について説明する。以下の第二の実施形態の説明では、第一の実施形態と同様の機能構成を有するものには、第一の実施形態の説明で用いた符号と同様の符号を付与し、その説明を省略する。
【０３０５】
図２５は、第二の実施形態の伝送システムの動作を示すシーケンス図である。図２５では、端末１０ａａが、既に参加制限が設けられた会議に参加している端末１０ｄｂに対して、会議の参加要求を行う場合を示している。また、図２５では、端末１０ａａにおいて入力された識別情報（要求先識別情報）が、宛先リストに存在しない場合の伝送システム１の動作を示している。
【０３０６】
図２５のステップＳ２５０１からステップＳ２５０７までの処理は、図１４のステップＳ１４０１からステップＳ１４０７までの処理と同様であるから、説明を省略する。
【０３０７】
本実施形態では、端末１０ｄｂは、既にセッションＩＤが付与された会議に参加している。したがって、図２５では、セッションＩＤを生成し、端末１０ａａと端末１０ｄｂにセッションＩＤを通知する処理は行わない。
【０３０８】
ステップＳ２５０７に続いて、端末１０ｄｂは、受信完了情報を送信すると、要求生成部２３により、会議準備完了情報を生成し、管理装置５０へ送信する（ステップＳ２５０８）。
【０３０９】
図２５のステップＳ２５０８からステップＳ２５１１までの処理は、図１４のステップＳ１４１３からステップＳ１４１６までの処理と同様であるから、説明を省略する。
【０３１０】
管理装置５０は、端末１０ａａから会議参加要求情報を受け付けると、参加判定部５９により、会議参加情報に含まれるＰＩＮコードが、端末管理テーブル８０１において端末１０ｄｂの識別情報（要求先識別情報）と対応付けられたＰＩＮコードと一致するか否かを判定する（ステップＳ２５１２）。ここでは、参加判定部５９により、両者が一致すると判定されたとする。
【０３１１】
続いて、管理装置５０は、中継開始要求情報を生成し、中継装置３０に送信する（ステップＳ２５１３）。中継開始要求情報には、セッションＩＤと、要求元端末の端末１０ａａのＩＰアドレスが含まれる。
【０３１２】
図２５のステップＳ２５１３からステップＳ２５１６の処理は、図１４のステップＳ１４１７からステップＳ１４２０までの処理と同様であるから、説明を省略する。
【０３１３】
尚、図２５の例では、ステップＳ２５０１において、識別情報とＰＩＮコードを入力するものとしたが、これに限定されない。本実施形態では、例えばステップＳ２５０１において要求先識別情報のみの入力を受け付けて管理装置５０へ発信し、ステップＳ２５１０において、ＰＩＮコードの入力の要求を受けてＰＩＮコードが入力されても良い。
【０３１４】
次に、図２６を参照し、本実施形態の端末１０ａａの動作を説明する。図２６は、第二の実施形態の要求元端末の動作を説明するフローチャートである。
【０３１５】
本実施形態の端末１０ａａは、操作入力受付部１２により、要求先識別情報と、ＰＩＮコードの入力及び発信指示を受け付ける（ステップＳ２６０１）。
【０３１６】
続いて、端末１０ａａは、種別判定部２５により、プライベートフラグ付きの会議準備完了情報を受信したか否かを判定する（ステップＳ２６０２）。言い換えれば、種別判定部２５は、受信した会議準備完了情報にプライベートフラグが含まれているか否かを判定している。
【０３１７】
ステップＳ２６０２において、会議準備完了情報にプライベートフラグが含まれない場合、端末１０ａａは、表示制御部１７により、要求先端末である端末１０ｄｂが通常会議中であることを示すエラーメッセージを含むダイヤログボックスを表示させ（ステップＳ２６０３）、処理を終了する。なお、通常会議とは、参加制限が成されていない会議を示す。
【０３１８】
ステップＳ２６０２において、会議準備完了情報にプライベートフラグが含まれる場合、端末１０ａａは、要求生成部２３により、ＰＩＮコードを含む会議参加要求情報を生成し、管理装置５０へ送信する（ステップＳ２６０４）。
【０３１９】
続いて、端末１０ａａは、管理装置５０の参加判定部５９による判定において、ＰＩＮコードが端末１０ｄｂと対応するＰＩＮコードと一致したか否かを判定する（ステップＳ２６０５）。言い換えれば、端末１０ａａは、管理装置５０に参加判定部５９による判定結果が、「一致」であるか否かを判定している。
【０３２０】
ステップＳ２６０５において、一致している場合、端末１０ａａは、表示制御部１７により、会議準備画面を表示させ（ステップＳ２６０６）、処理を終了する。
【０３２１】
ステップＳ２６０５において、一致していない場合、端末１０ａａは、表示制御部１７により、ＰＩＮコードが一致していないことを示すエラーメッセージを含むダイヤログボックスを表示させ（ステップＳ２６０７）、処理を終了する。
【０３２２】
以上のように、本実施形態では、既に開催されている制限付きの会議に参加する場合も、要求先識別情報とＰＩＮコードを入力し、発信指示を行うだけで、要求先端末の状態に応じた応答を得ることができる。また、本実施形態では、要求先端末の状態が、制限付きの会議中であり、且つＰＩＮコードが一致した場合には、要求元端末は、そのまま制限付き会議に参加することができる。
【０３２３】
したがって、本実施形態によれば、参加が制限されたセッションへ参加する操作を簡略化できる。
【０３２４】
（第三の実施形態）
以下に、図面を参照して第三の実施形態について説明する。第三の実施形態では、参加制限付きのセッションに参加している端末がＰＩＮコードを保持する点が、第一の実施形態と相違する。よって、以下の第三の実施形態の説明では、第一の実施形態との相違点についてのみ説明し、第一の実施形態と同様の機能構成を有するものには、第一の実施形態の説明で用いた符号と同様の符号を付与し、その説明を省略する。
【０３２５】
本実施形態では、参加制限付き会議が開始された後に、この会議に新たな端末が参加する場合に、会議に参加中の端末から、新たな端末に対してＰＩＮコードを通知させる。
【０３２６】
本実施形態では、この構成により、参加制限付き会議の開始後に、新たな端末がこの会議に参加する際に、会議に参加している参加者から、新たに参加する端末の操作者に、端末以外の手段を用いてＰＩＮコードを知らせる、という手間を削減できる。
【０３２７】
図２７は、第三の実施形態の端末の機能構成を説明する図である。本実施形態の端末１０−１は、第一の実施形態の端末１０の有する各部に加え、ＰＩＮコード保持部２６を有する。
【０３２８】
本実施形態のＰＩＮコード保持部２６は、端末１０−１に割り振られたＰＩＮコードを参加制限付き会議が終了するまで保持する。
【０３２９】
図２８は、第三の実施形態の伝送システムの動作を示す第一のシーケンス図である。図２８では、端末１０−１ａａから、端末１０−１ｄｂに対してテレビ会議等の通信の開始を要求し、参加制限付き会議を開始する際の伝送システム１の動作を示している。
【０３３０】
図２８のステップＳ２８０１からステップＳ２８２０までの処理は、図１４のステップＳ１４０１からステップＳ１４２０までの処理と同様であるから、説明を省略する。
【０３３１】
端末１０−１ａａは、ステップＳ２８２０に続いて、ＰＩＮコードを保持する（ステップＳ２８２１）。また、端末１０−１ｄｂは、ステップＳ２８２０に続いて、ＰＩＮコードを保持する（ステップＳ２８２２）。
【０３３２】
このように、図２８の例では、参加制限付き会議を開始した端末１０−１ａａと端末１０−１ｄｂの両方において、ＰＩＮコードが保持される。
【０３３３】
次に、図２９を参照して、本実施形態して、開催中の参加制限付き会議に端末１０−１ａａが参加する場合の伝送システム１の動作について説明する。
【０３３４】
図２９は、第三の実施形態の伝送システムの動作を示す第二のシーケンス図である。図２９のステップＳ２９０１からステップＳ２９１６までの処理は、図２５のステップＳ２５０１からステップＳ２５１６までの処理と同様であるから、説明を省略する。
【０３３５】
ステップＳ２９１６に続いて、端末１０−１ａａは、ＰＩＮコード保持部２６は、ステップＳ２９０１で指定したＰＩＮコードを保持する（ステップＳ２９１７）。
【０３３６】
尚、このとき、端末１０−１ｄｂは、参加制限付き会議に参加しているため、既にＰＩＮコードを保持している。
【０３３７】
次に、図３０を参照して、参加制限付き会議に参加中の端末１０−１ａａから、新たに参加制限付き会議に参加する端末１０−１ｄｂに対してＰＩＮコードを通知する際の伝送システム１の動作を説明する。
【０３３８】
図３０は、第三の実施形態の伝送システムの動作を示す第三のシーケンス図である。本実施形態の端末１０−１ａａは、端末１０−１ｄｂを参加制限付き会議に参加させる際に、ＰＩＮコード保持部２６が保持しているＰＩＮコードを取得する（ステップＳ３００１）。
【０３３９】
続いて、端末１０−１ａａは、操作入力受付部１２により、利用者による要求先端末（端末１０−１ｄｂ）の識別情報（要求先識別情報）の入力操作を受け付ける（ステップＳ３００２）。
【０３４０】
続いて、端末１０−１ａａは、要求生成部２３により、取得したＰＩＮコードと、入力された識別情報とを含む開始要求情報を生成し、管理装置５０へ送信する（ステップＳ３００３）。
【０３４１】
ステップＳ３００４からステップＳ３０２１までの処理は、図１４のステップＳ１４０３からステップＳ１４２０までの処理と同様であるから、説明を省略する。
【０３４２】
尚、図３０の例では、参加制限付き会議に新たに参加する端末１０−１ｄｂに対し、識別情報を指定してＰＩＮコードを発信することで、ＰＩＮコードを通知するものとしたが、通知の方法はこれに限定されない。ＰＩＮコードの通知の方法は、例えば、アドレス帳から要求先端末のアドレスを指定し、メールによってＰＩＮコードを通知する方法であっても良い。
【０３４３】
以上のように、本実施形態によれば、参加制限付き会議にする際に、ＰＩＮコードを保持する。したがって、本実施形態によれば、新たな端末がこの会議に参加する際に、新たに参加する端末の操作者に、端末以外の手段を用いてＰＩＮコードを知らせる、という手間を削減できる
【０３４４】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０３４５】
１  伝送システム
１０  情報処理端末（端末）
１７  表示制御部
２３  要求生成部
２４  応答生成部
２５  種別判定部
２６  ＰＩＮコード保持部
３０  中継装置
５０  伝送管理装置（管理装置）
５９  参加判定部
６０  送信先判定部
１００２  宛先リスト
【先行技術文献】
【特許文献】
【０３４６】
【特許文献１】特開２０１５−０２９２５２号公報
【図１】
2018152836.tif 000003
【図２】
2018152836.tif 000004
【図３】
2018152836.tif 000005
【図４】
2018152836.tif 000006
【図５】
2018152836.tif 000007
【図６】
2018152836.tif 000008
【図７】
2018152836.tif 000009
【図８】
2018152836.tif 000010
【図９】
2018152836.tif 000011
【図１０】
2018152836.tif 000012
【図１１】
2018152836.tif 000013
【図１２】
2018152836.tif 000014
【図１３】
2018152836.tif 000015
【図１４】
2018152836.tif 000016
【図１５】
2018152836.tif 000017
【図１６】
2018152836.tif 000018
【図１７】
2018152836.tif 000019
【図１８】
2018152836.tif 000020
【図１９】
2018152836.tif 000021
【図２０】
2018152836.tif 000022
【図２１】
2018152836.tif 000023
【図２２】
2018152836.tif 000024
【図２３】
2018152836.tif 000025
【図２４】
2018152836.tif 000026
【図２５】
2018152836.tif 000027
【図２６】
2018152836.tif 000028
【図２７】
2018152836.tif 000029
【図２８】
2018152836.tif 000030
【図２９】
2018152836.tif 000031
【図３０】
2018152836.tif 000032